(57)【要約】メディア資源システムは、メディア資源システムをロジック処理するサービス処理モジュールと、サービス相関のユーザ配置情報を設置及び／または記憶するユーザ配置情報モジュールと、メディア資源を記憶し管理する資源記憶管理モジュールと、を備える。本発明の技術案を借りて、様々なサービスは、１セットのメディア資源システムを共用することでパーソナライズのメディア資源再生を実現して、各サービスシステムの構築と展開コストを下げると同時に、システムの維持とユーザの使用に便利を図ることができる。
2012503374.tif 000002
【特許請求の範囲】
【請求項１】
付加価値サービスに前記メディア資源を提供するためであって、
メディア資源システムをロジック処理するサービス処理モジュールと、
サービス相関のユーザ配置情報を設置及び／または記憶するユーザ配置情報モジュールと、
メディア資源を記憶し管理する資源記憶管理モジュールと、
を備えるメディア資源システム。
【請求項２】
前記資源記憶管理モジュールは、
メディア資源を記憶するメディア資源記憶モジュールと、
前記メディア資源記憶モジュールが記憶したメディア資源を管理する資源管理モジュールと、を更に備える、
ことを特徴とする請求項１に記載のシステム。
【請求項３】
前記資源管理モジュールは、前記メディア資源記憶モジュールが記憶したメディア資源の、前記メディア資源のマーク、前記メディア資源の物理記憶位置、メディアフォーマットのうち少なくとも一方を管理する、
ことを特徴とする請求項２に記載のシステム。
【請求項４】
前記資源管理モジュールは、資源操作要求を受信し、前記資源操作要求により前記メディア資源記憶モジュールがメディア資源に対して相関操作を実行することを通知する、
ことを更に特徴とする請求項３に記載のシステム。
【請求項５】
メディアサーバは、ネットワークにてクライアントにメディア資源の協議及び遠隔再生を提供し、及び／またはＷＥＢ方式にてまたはローカルダウンロード方式にてクライアントが前記メディア資源を再生することをサポートし、かつ、必要の時クライアントのインタラクティブ情報を受信して申告する、
ことを更に特徴とする請求項１に記載のシステム。
【請求項６】
前記サービス処理モジュールが前記メディア資源システムに対する前記ロジック処理は、以下のうち少なくとも一方を含み、
所定の策略によりメディア資源を定位し、
外部サービス／アプリケーションサーバにコールインタフェースを提供し、
サービスポータル及び／または管理ポータルにユーザ配置情報の更新と取得を提供し、
サービスポータル及び／または管理ポータルにメディア資源の配置操作を提供し、
サービスポータル及び／または管理ポータルの認証要求とコール要求を受理し、
他のサービスとインタフェースを応用して相応のサービス能力を取得する、
ことを特徴とする請求項１に記載のシステム。
【請求項７】
前記ユーザ配置情報モジュールは、前記メディア資源システムにおける他のモジュールに設置情報を提供する、
ことを更に特徴とする請求項１に記載のシステム。
【請求項８】
付加価値サービスに前記メディア資源を提供するためであって、
メディア資源システムをロジック処理するサービス処理モジュールと、
サービス相関のユーザ配置情報を設置及び／または記憶するユーザ配置情報モジュールと、
メディア資源を記憶し管理する資源記憶管理モジュールと、
発呼者側ユーザと被呼者側ユーザとの間のメディア協議及びメディア再生を行うメディアサーバと、
を備えるメディア資源システム。
【請求項９】
前記資源記憶管理モジュールは、
メディア資源を記憶するメディア資源記憶モジュールと、
前記メディア資源記憶モジュールが記憶したメディア資源を管理する資源管理モジュールと、を更に備える、
ことを特徴とする請求項８に記載のシステム。
【請求項１０】
サービス処理モジュールは、サービスからのメディア資源要求を受信したのち、ユーザ配置情報モジュールからユーザ設置を読み取り、前記メディア資源要求と前記ユーザ設置により対応のメディア資源のマークを取得し、
前記サービス処理モジュールは、資源管理モジュールにメディア資源を定位する要求を送信し、その中、前記要求に前記メディア資源のマークがキャリーされ、
前記資源管理モジュールは、前記メディア資源を定位する要求における前記メディア資源のマークによりメディア資源情報を取得し、前記サービス処理モジュールに前記メディア資源情報を帰還し、
システムがメディアサーバを含まない場合、前記サービスが前記メディア資源情報により前記メディア資源を取得するように、前記サービス処理モジュールは、前記サービスに前記メディア資源情報を帰還し、
前記システムが前記メディアサーバを含む場合、前記サービス処理モジュールは、前記サービス、クライアント及び前記メディアサーバとインタラクティブを行い、前記メディアサーバが前記メディア資源情報と前記クライアントによりメディア協議とメディア再生を行うことを指示し、または、前記サービス処理モジュールは、前記サービス、前記クライアントとインタラクティブを行い、前記クライアントが前記メディア資源情報によりローカルダウンロード方式またはＷＥＢ方式にて前記メディアサーバのメディア資源を再生し、または、前記サービス処理モジュールは、前記サービスに前記メディア資源情報を帰還する、
ことを特徴とするメディア資源の提供方法。
【請求項１１】
前記サービスは、メディアサーバにメディア再生要求を送信し、その中、前記要求に前記メディア資源情報がキャリーされ、
前記メディアプレイヤーは、前記メディア資源情報により前記メディア資源記憶モジュールに記憶されたメディア資源を取得して、再生する、
ことを特徴とする請求項１０に記載の方法。
【請求項１２】
前記メディア資源情報は、メディア資源の物理位置情報である、
ことを特徴とする請求項１１に記載の方法。
【請求項１３】
前記資源管理モジュールと前記メディア資源記憶モジュールを一つの機能エンティティに設置する、
ことを特徴とする請求項１０または１１に記載の方法。
【請求項１４】
ハイパーメディアサービスサーバは、メディア資源システムにおけるサービス処理モジュールにメディア資源を申請する要求を送信し、その中、前記要求に申請したメディア資源の相関情報が含まれ、
前記メディア資源を申請する要求に応じて、前記サービス処理モジュールは、前記メディア資源を申請する要求により、所定の処理を行なって、相応のメディア資源情報を取得し、前記ハイパーメディアに前記相応のメディア資源情報を帰還し、
前記ハイパーメディアサービスサーバは、前記メディア資源システムにおけるメディアサーバに再生要求を送信し、その中、前記要求に前記メディア資源情報がキャリーされ
前記再生要求に応じて、前記メディアサーバは、前記メディア資源情報により前記メディア資源システムの資源記憶管理モジュールにおけるメディアを取得して、再生する、
ことを特徴とするメディア資源システムのハイパーメディアの実現方法。
【請求項１５】
ハイパーメディアサービスサーバは、メディア資源システムにおけるサービス処理モジュールにメディア資源を申請する要求を送信する前に、
発呼者側ユーザは、呼び出しを発起し、前記ハイパーメディアサービスサーバをトグルして、被呼者側ユーザに接続される、
ことをさらに特徴とする請求項１４に記載の方法。
【請求項１６】
前記サービス処理モジュールは、前記メディア資源を申請する要求により、所定の処理を行なって、相応のメディア資源情報を取得し、前記ハイパーメディアに前記相応のメディア資源情報を帰還し、具体的には、
前記メディア資源を申請する要求に応じて、前記サービス処理モジュールは、ユーザ配置情報モジュールからユーザ設置を読み取り、前記メディア資源要求と前記ユーザ設置により対応のメディア資源のマークを取得し、
前記サービス処理モジュールは、前記資源記憶管理モジュールにメディア資源を定位する要求を送信し、その中、前記要求に前記メディア資源のマークがキャリーされ
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ハイパーメディアサービスサーバに前記メディア資源情報を帰還する、
ことを特徴とする請求項１５に記載の方法。
【請求項１７】
前記ハイパーメディアサービスサーバがメディアサーバの再生を指示する前に、
前記メディアサーバは、前記ハイパーメディアサービスサーバの制御下でクライアントとメディア協議を行う、
ことを特徴とする請求項１６に記載の方法。
【請求項１８】
前記メディア資源を申請する要求に申請したメディア資源の必要な情報が含まれ、前記発呼者側ユーザと前記被呼者側ユーザの番号の少なくとも一方が含まれる、
ことを特徴とする請求項１４に記載の方法。
【請求項１９】
前記ハイパーメディアは、ＣＲＢＴ、カラー画像を含む、
ことを特徴とする請求項１４に記載の方法。
【請求項２０】
ハイパーメディアサービスサーバは、メディア資源を申請する要求を送信し、その中、前記要求にメディア資源を申請する必要な情報に含まれ、
前記メディア資源を申請する要求に応じて、前記メディア資源システムは、前記メディア資源を申請する要求により、所定の処理を行なって、メディア資源情報を取得し、前記ハイパーメディアに前記メディア資源情報を帰還し、
前記ハイパーメディアサービスサーバは、メディアサーバに再生要求を送信し、その中、前記要求に前記メディア資源情報がキャリーされ、
前記メディアサーバは、前記再生要求に応じて、前記メディア資源情報により前記メディア資源システムのメディアを取得して、再生する、
ことを特徴とするメディア資源システムのハイパーメディアの実現方法。
【請求項２１】
ハイパーメディアサービスサーバがメディア資源システムにメディア資源を申請する要求を送信する前に、
発呼者側ユーザは、呼び出しを発起し、前記ハイパーメディアサービスサーバをトグルして、被呼者側ユーザに接続される、
ことをさらに特徴とする請求項２０に記載の方法。
【請求項２２】
前記メディア資源システムは、前記メディア資源を申請する要求により、所定の処理を行なって、メディア資源情報を取得し、前記ハイパーメディアに前記メディア資源情報を帰還し、具体的に、
前記メディア資源を申請する要求に応じて、前記メディア資源システムのサービス処理モジュールは、ユーザ配置情報モジュールからユーザ設置を読み取り、前記メディア資源要求と前記ユーザ設置により対応のメディア資源のマークを取得し、
前記サービス処理モジュールは、前記資源記憶管理モジュールにメディア資源を定位する要求を送信し、その中、前記要求に前記メディア資源のマークがキャリーされ、
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ハイパーメディアサービスサーバに前記メディア資源情報を帰還する、
ことを特徴とする請求項２１に記載の方法。
【請求項２３】
前記ハイパーメディアサービスサーバが前記メディア資源システムにおけるメディアサーバに再生要求を送信する前に、
前記ハイパーメディアサービスサーバは、前記発呼者側ユーザと前記被呼者側ユーザと協議を行う、
ことを特徴とする請求項２２に記載の方法。
【請求項２４】
前記メディア資源を申請する要求にメディア資源の相関情報が含まれ、、前記発呼者側ユーザと前記被呼者側ユーザの番号の少なくとも一方が含まれる、
ことを特徴とする請求項２０に記載の方法。
【請求項２５】
ショートメッセージサービス（Ｓｈｏｒｔ  Ｍｅｓｓａｇｅ  Ｓｅｒｖｉｃｅ：ＳＭＳ）の付加価値サービスサーバは、メディア資源システムにメディア資源を申請する要求を送信し、その中、前記要求に申請したメディア資源の相関情報が含まれ、
前記メディア資源を申請する要求に応じて、前記メディア資源システムは、前記メディア資源を申請する要求により、所定の処理を行なって、相応のメディア資源情報を取得し、前記ショートメッセージサービスの付加価値サービスサーバに前記メディア資源情報を帰還し、
前記ショートメッセージサービスの付加価値サービスサーバは、発呼者側ユーザが送信したショートメッセージに前記メディア資源情報のリンクを追加し、被呼者側ユーザに送信し、
前記被呼者側ユーザは、前記ショートメッセージを受信し、前記メディア資源情報のリンクに基づいて資源記憶管理モジュールからメディアをダウンロードして再生する、
ことを特徴とするメディア資源システムのショートメッセージ到達のリング通知の実現方法。
【請求項２６】
ショートメッセージサービスの付加価値サービスサーバがメディア資源システムにメディア資源を申請する要求を送信する前に、
前記発呼者側ユーザは、ショートメッセージ到達のリング通知のサービスを注文し、前記ショートメッセージサービスの付加価値サービスサーバに到達する前記ショートメッセージを送信する、
ことを特徴とする請求項２５に記載の方法。
【請求項２７】
前記メディア資源システムは、前記メディア資源を申請する要求により、所定の処理を行なって、相応のメディア資源情報を取得し、前記ショートメッセージサービスの付加価値サービスサーバに前記メディア資源情報を帰還し、具体的に、
前記メディア資源を申請する要求に応じて、前記メディア資源システムにおけるサービス処理モジュールは、ユーザ配置情報モジュールからユーザ設置を読み取り、前記メディア資源要求と前記ユーザ設置により、対応のメディア資源のマークを取得し、
前記サービス処理モジュールは、前記資源記憶管理モジュールにメディア資源を定位する要求を送信し、その中、前記要求に前記メディア資源のマークがキャリーされ
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ショートメッセージサービスの付加価値サービスサーバに前記メディア資源情報を帰還する、
ことを特徴とする請求項２６に記載の方法。
【発明の詳細な説明】
【技術分野】
【０００１】
本発明は通信領域に関し、特に、メディア資源システム及びメディア資源の提供方法に関する。
【背景技術】
【０００２】
現在、インターネットサービスプロバイダー（Ｉｎｔｅｒｎｅｔ  Ｓｅｒｖｉｃｅ  Ｐｒｏｖｉｄｅｒ：ＩＳＰ）は総合ネットワークのフルサービスプロバイダーに向けて発展しており、新規サービスを発展する時、主にパーソナライズ特徴を持つサービスを通してユーザを吸引する。現在、リングバックトーン（Ｃｏｌｏｒ  Ｒｉｎｇ  Ｂａｃｋ  Ｔｏｎｅ：ＣＲＢＴ）サービスとカラー画像（Ｍｕｌｔｉｍｅｄｉａ  Ｒｉｎｇ  Ｔｏｎｅ：ＭＲＴ）サービスは、パーソナライズの付加価値サービスとして、インターネットサービスプロバイダー（Ｉｎｔｅｒｎｅｔ  Ｓｅｒｖｉｃｅ  Ｐｒｏｖｉｄｅｒ：ＩＳＰ）とユーザに注目されている。
【０００３】
ＣＲＢＴサービスはユーザにパーソナライズの呼出音を提供することでユーザに人気が出る。ユーザは、ＣＲＢＴサービスを登録し、事前にカラー呼出音を注文することで、自分の興味に応じて再生策略、例えば、ランダム再生、ループ再生、発呼者側ユーザ番号による再生、特定なタイムスライスによる設置された再生などを設置することができる。発呼者側ユーザが被呼者側ユーザを呼び出す時、被呼者側ユーザが設置した再生策略により、発呼者側ユーザはパーソナライズのカラー呼出音が聞こえる。現在、狭帯域ネットワークにおいては、より成熟した商用設備にて音声ＣＲＢＴサービスを提供するサービスがあり、第３世代ネットワーク（３ｒｄ  Ｇｅｎｅｒａｔｉｏｎ、３Ｇと略称）ネットワーク、ＩＰマルチメディアサブシステム（ＩＰ  Ｍｕｌｔｉｍｅｄｉａ  Ｓｕｂｓｙｓｔｅｍ、ＩＭＳと略称）ネットワークにおいては、音声／映像または組み合わせたマルチメディアＣＲＢＴサービスが着実に発展している。
【０００４】
カラー画像サービスは被呼者側ユーザに提供されるサービスである。呼び出しの接続過程において、被呼者側ユーザが受話器を取り上げて聞く前に、被呼者側の端末は、前の単調なトーンリングの代わりに、予めに設定されたカラー画像を再生する。同様に、当該サービスはユーザに再生策略を設置する能力を提供することがある。
【０００５】
分かるように、ＣＲＢＴサービスとカラー画像サービスは、マルチメディアリングとユーザ再生策略を結び付けて、ユーザにパーソナライズのメディア再生の感じを提供する。ユーザ消費の主体はメディア内容であり、呼び出しセットアップの過程にメディア内容を体験する。このような体験方式を呼び出しセットアップの後に拡張しけば、即ち、発、被呼者側の通話後に双方はメディア内容を体験することは、別のパーソナライズの付加価値サービス（バックグラウンドミュージックサービス（Ｂａｃｋｇｒｏｕｎｄ  Ｍｕｓｉｃ  Ｓｅｒｖｉｃｅ：ＢＧＭ）サービスともいう）である。また、体験方式をメッセージ系サービス、マルチメディア会議系サービス、呼び出し待ち、呼び出し保持などの補充サービスに融合させることができる。例えば、ショートメッセージサービスにおいて、ショートメッセージが到達する時、ショートメッセージサービスはパーソナライズのメディア再生を提供することでユーザにショートメッセージサービス（Ｓｈｏｒｔ  Ｍｅｓｓａｇｅ  Ｓｅｒｖｉｃｅ：ＳＭＳ）の到達を注意させる。マルチメディア会議サービスにおいて、参加者は会議が提供する特色の背景音楽を体験することができ、会議がユーザに参加するように招く時、ユーザは事前に会議の再生のメディアにより事前に会議の雰囲気を感じれる。これらはユーザに前と異なるサービス体験を与えることができる。
【０００６】
マルチメディア内容を提供するため、各種のサービスはメディア内容の記憶と管理、ユーザの再生策略などのデータの記憶と管理に及んで、現在、メディア内容とユーザの再生策略を如何に記憶し管理するか、まだ有効な解決案を提供していない。
【発明の概要】
【発明が解決しようとする課題】
【０００７】
そこで、本発明は、相関技術に存在する技術案を必要としてメディア内容及び、ユーザの再生策略を如何に記憶し管理する問題に鑑みてなされたものであり、本発明の目的とするところは、メディア資源システム及びメディア資源の提供方法を提供することにある。
【０００８】
本発明の一つの局面に係るメディア資源システムは、付加価値サービスに前記メディア資源を提供するためであって、メディア資源システムをロジック処理するサービス処理モジュールと、サービス相関のユーザ配置情報を設置及び／または記憶するユーザ配置情報モジュールと、メディア資源を記憶し管理する資源記憶管理モジュールと、を備える。
【０００９】
また、前記資源記憶管理モジュールは、メディア資源を記憶するメディア資源記憶モジュールと、前記メディア資源記憶モジュールが記憶したメディア資源を管理する資源管理モジュールと、を更に備える。
【００１０】
その中、前記資源管理モジュールは、メディア資源記憶モジュールが記憶したメディア資源の、メディア資源のマーク、メディア資源の物理記憶位置、メディアフォーマットのうち少なくとも一方を管理する。
【００１１】
また、前記資源管理モジュールは、さらに、資源操作要求を受信し、前記資源操作要求に応じてメディア資源記憶モジュールがメディア資源に対して相関操作を実行することを通知する。
【００１２】
また、前記システムは、ネットワークにてクライアントにメディア資源の協議及び遠隔再生を提供し、及び／またはＷＥＢ方式にてまたはローカルダウンロード方式にてクライアントが前記メディア資源を再生することをサポートし、かつ、必要な時にクライアントのインタラクティブ情報を受信して申告するためのメディアサーバを、さらに備える。
【００１３】
その中、サービス処理モジュールがメディア資源システムに対するロジック処理は以下のうち少なくとも一方を含み、所定の策略によりメディア資源を定位し、外部サービス／アプリケーションサーバにコールインタフェースを提供し、サービスポータル及び／または管理ポータルにユーザ配置情報の更新と取得を提供し、サービスポータル及び／または管理ポータルにメディア資源の配置操作を提供し、サービスポータル及び／または管理ポータルの認証要求とコール要求を受理し、他のサービスとインタフェースを応用して相応のサービス能力を取得する。
【００１４】
また、前記ユーザ配置情報モジュールは、さらに、前記メディア資源システムにおける他のモジュールに設置情報を提供する。
【００１５】
本発明の他の局面に係るメディア資源システムは、付加価値サービスにメディア資源を提供するためであって、メディア資源システムをロジック処理するサービス処理モジュールと、サービス相関のユーザ配置情報を設置及び／または記憶するユーザ配置情報モジュールと、メディア資源を記憶し管理する資源記憶管理モジュールと、発呼者側ユーザと被呼者側ユーザとの間のメディア協議及びメディア再生を行うメディアサーバと、を備える。
【００１６】
また、前記資源記憶管理モジュールは、メディア資源を記憶するメディア資源記憶モジュールと、前記メディア資源記憶モジュールが記憶したメディア資源を管理する資源管理モジュールと、を更に備える。
【００１７】
本発明の他の局面に係るメディア資源の提供方法は、サービス処理モジュールが、サービスからのメディア資源要求を受信したのち、ユーザ配置情報モジュールからユーザ設置を読み取り、メディア資源要求とユーザ設置により対応のメディア資源のマークを取得し、サービス処理モジュールが、資源管理モジュールにメディア資源を定位する要求を送信し、その中、当該要求にメディア資源のマークがキャリーされ、資源管理モジュールが、メディア資源を定位する要求におけるメディア資源のマークによりメディア資源情報を取得し、サービス処理モジュールにメディア資源情報を帰還し、システムがメディアサーバを含まない場合、サービス処理モジュールが、メディア資源情報によりメディア資源を取得するように、前記サービス処理モジュールは前記サービスに前記メディア資源情報を帰還し、システムがメディアサーバを含む場合、サービス処理モジュールが、サービス、クライアント及びメディアサーバとインタラクティブを行い、メディアサーバがメディア資源情報によりクライアントとメディア協議とメディア再生を行うことを指示し、または、サービス処理モジュールが、サービス、クライアントとインタラクティブを行い、クライアントがメディア資源情報によりローカルダウンロード方式またはＷＥＢ方式にてメディアサーバにおけるメディア資源を再生し、または、サービス処理モジュールが、サービスにメディア資源情報を帰還する、ことを備える。
【００１８】
また、前記方法は、サービスが、メディアサーバにメディア再生要求を送信し、その中、当該要求にメディア資源情報がキャリーされ、メディアプレイヤーが、メディア資源情報によりメディア資源記憶モジュールに記憶されたメディア資源を取得し、再生する、ことをさらに備える。
【００１９】
その中、前記メディア資源情報はメディア資源の物理位置情報である。
【００２０】
その中、資源管理モジュールとメディア資源記憶モジュールが一つの機能エンティティに設置される。
【００２１】
本発明の他の局面に係るメディア資源システムのハイパーメディアの実現方法は、ハイパーメディアサービスサーバが、メディア資源システムにおけるサービス処理モジュールにメディア資源を申請する要求を送信し、その中、当該要求に申請したメディア資源の相関情報が含まれ、メディア資源を申請する要求に応じて、サービス処理モジュールが、メディア資源を申請する要求により所定の処理を行なって、相応のメディア資源情報を取得し、ハイパーメディアに相応のメディア資源情報を帰還し、ハイパーメディアサービスサーバが、メディア資源システムにおけるメディアサーバに再生要求を送信し、その中、再生要求にメディア資源情報がキャリーされ、再生要求に応じて、メディアサーバが、メディア資源情報によりメディア資源システムの資源記憶管理モジュールにおけるメディアを取得し、再生する、ことを備える。
【００２２】
また、ハイパーメディアサービスサーバがメディア資源システムにおけるサービス処理モジュールにメディア資源を申請する要求を送信する前に、発呼者側ユーザが呼び出しを発起し、ハイパーメディアサービスサーバをトグルして、ハイパーメディアサービスサーバは、被呼者側ユーザに接続される。
【００２３】
その中、サービス処理モジュールは、メディア資源を申請する要求により、所定の処理を行なって、相応のメディア資源情報を取得し、ハイパーメディアに相応のメディア資源情報を帰還し、具体的には、メディア資源を申請する要求に応じて、サービス処理モジュールは、ユーザ配置情報モジュールからユーザ設置を読み取り、メディア資源要求とユーザ設置により対応のメディア資源のマークを取得し、サービス処理モジュールは、資源記憶管理モジュールにメディア資源を定位する要求を送信し、その中、当該要求にメディア資源のマークがキャリーされ、資源記憶管理モジュールは、メディア資源を定位する要求におけるメディア資源のマークにより、メディア資源情報を取得し、サービス処理モジュールにメディア資源情報を帰還し、サービス処理モジュールは、ハイパーメディアサービスサーバにメディア資源情報を帰還する。
【００２４】
また、ハイパーメディアサービスサーバがメディアサーバの再生を指示する前に、メディアサーバは、ハイパーメディアサービスサーバの制御下でクライアントとメディア協議を行う。
【００２５】
その中、前記メディア資源を申請する要求に申請したメディア資源の相関情報のうち、発呼者側ユーザと被呼者側ユーザの番号が少なくとも含まれる。
【００２６】
その中、前記ハイパーメディアは、ＣＲＢＴ、カラー画像を含む。
【００２７】
本発明の他の局面に係るメディア資源システムのハイパーメディアの実現方法は、ハイパーメディアサービスサーバが、メディア資源システムにメディア資源を申請する要求を送信し、その中、当該要求に申請したメディア資源の必要な情報が含まれ、メディア資源を申請する要求に応じて、メディア資源システムが、メディア資源を申請する要求により、所定の処理を行なって、メディア資源情報を取得し、ハイパーメディアにメディア資源情報を帰還し、ハイパーメディアサービスサーバが、メディアサーバに再生要求を送信し、その中、再生要求にメディア資源情報がキャリーされ、メディアサーバは、再生要求に応じ、メディア資源情報によりメディア資源システムにおけるメディアを取得し、再生する、ことを備える。
【００２８】
また、ハイパーメディアサービスサーバがメディア資源システムにメディア資源を申請する要求を送信する前に、発呼者側ユーザは呼び出しを発起し、ハイパーメディアサービスサーバをトグルして、ハイパーメディアサービスサーバは、被呼者側ユーザに接続される。
【００２９】
その中、メディア資源システムは、メディア資源を申請する要求により、所定の処理を行なって、メディア資源情報を取得し、ハイパーメディアサービスサーバにメディア資源情報を帰還し、具体的には、メディア資源を申請する要求に応じて、メディア資源システムにおけるサービス処理モジュールは、ユーザ配置情報モジュールからユーザ設置を読み取り、メディア資源要求とユーザ設置により対応のメディア資源のマークを取得し、サービス処理モジュールは、資源記憶管理モジュールにメディア資源を定位する要求を送信し、その中、当該要求にメディア資源のマークがキャリーされ、資源記憶管理モジュールは、メディア資源を定位する要求におけるメディア資源のマークにより、メディア資源情報を取得し、サービス処理モジュールにメディア資源情報を帰還し、サービス処理モジュールは、ハイパーメディアサービスサーバにメディア資源情報を帰還する。
【００３０】
また、ハイパーメディアサービスサーバがメディア資源システムにおけるメディアサーバに再生要求を送信する前に、ハイパーメディアサービスサーバは、発呼者側ユーザと被呼者側ユーザと協議を行う。
【００３１】
その中、当該要求に申請したメディア資源の相関情報のうち、発呼者側ユーザと被呼者側ユーザの番号が少なくとも含まれる。
【００３２】
本発明の他の局面に係るメディア資源システムのショートメッセージ到達のリング通知の実現方法は、ショートメッセージサービス（Ｓｈｏｒｔ  Ｍｅｓｓａｇｅ  Ｓｅｒｖｉｃｅ：ＳＭＳ）の付加価値サービスサーバが、メディア資源システムにメディア資源を申請する要求を送信し、その中、当該要求に申請したメディア資源の相関情報が含まれ、メディア資源を申請する要求に応じて、メディア資源システムが、メディア資源を申請する要求により、所定の処理を行なって、相応のメディア資源情報を取得し、ショートメッセージサービスの付加価値サービスサーバにメディア資源情報を帰還し、ショートメッセージサービスの付加価値サービスサーバが、発呼者側ユーザが送信したショートメッセージにメディア資源情報のリンクを追加し、被呼者側ユーザに送信し、被呼者側ユーザがショートメッセージを受信し、メディア資源情報のリンクに基づいて資源記憶管理モジュールからメディアをダウンロードして再生する、ことを備える。
【００３３】
また、ショートメッセージサービスの付加価値サービスサーバがメディア資源システムにメディア資源を申請する要求を送信する前に、発呼者側ユーザは、ショートメッセージ到達のリング通知のサービスを注文し、ショートメッセージを送信して、ショートメッセージがショートメッセージサービスの付加価値サービスサーバに到達する。
【００３４】
その中、メディア資源システムは、メディア資源を申請する要求により、所定の処理を行なって、相応のメディア資源情報を取得し、ショートメッセージサービスの付加価値サービスサーバにメディア資源情報を帰還し、具体的に、メディア資源を申請する要求に応じて、メディア資源システムにおけるサービス処理モジュールは、ユーザ配置情報モジュールからユーザ設置を読み取り、メディア資源要求とユーザ設置により、対応のメディア資源のマークを取得し、サービス処理モジュールは、資源記憶管理モジュールにメディア資源を定位する要求を送信し、その中、当該要求にメディア資源のマークがキャリーされ、資源記憶管理モジュールは、メディア資源を定位する要求におけるメディア資源のマークにより、メディア資源情報を取得し、サービス処理モジュールにメディア資源情報を帰還し、サービス処理モジュールは、ショートメッセージサービスの付加価値サービスサーバにメディア資源情報を帰還する。
【発明の効果】
【００３５】
本発明の技術案を借りて、様々なサービスは、１セットのメディア資源システムを共用することで、パーソナライズのメディア資源再生を実現して、各サービスシステムの構築と展開コストを下げると同時に、ユーザの使用とシステムの維持に便利を図ることができる。
【００３６】
本発明の他の特徴と利点は後続の明細書に説明し、明細書に部分的に明らかになり、または本発明を実施することで了解される。本発明の目的と他の利点は明細書、特許の範囲及び図面に指摘された結構により実現し取得する。
【図面の簡単な説明】
【００３７】
添付図面は本発明を更に説明する用であり、本発明の一部を構成し、実施の形態と一緒に本発明を解釈する用であり、本発明に対する不当な限定ではない。
【００３８】
【図１】本発明システムに係る実施例におけるメディア資源システムを示す図である。
【図２】本発明に係る実施例におけるメディア資源の提供方法のフローチャートである。
【図３】本発明に係る実施例における資源管理の実現のフローチャートである。
【図４】本発明に係る実施例におけるユーザ配置情報モジュールにサービスと相関するユーザ配置情報の処理を設置するフローチャートである。
【図５】本発明に係る実施例１におけるメディア資源システムのハイパーメディアの実現方法のフローチャートである。
【図６】本発明に係る実施例２におけるメディア資源システムのハイパーメディアの実現方法のフローチャートである。
【図７】本発明に係る実施例におけるＣＲＢＴサービスメディア再生のフローチャートである。
【図８】本発明に係る実施例におけるメディア資源システムのショートメッセージ到達のリング通知の実現方法フローチャートである。
【図９】本発明に係る実施例におけるショートメッセージ到達の通知のメディア再生のフローチャートである。
【発明を実施するための形態】
【００３９】
機能の概述
現在、ユーザがパーソナライズサービスに対する要求は絶えずに高まるので、多くのパーソナライズの付加価値サービスがあり、各サービスはメディア内容及び、ユーザ再生策略などのデータの記憶と管理に触れ、また、各サービスの運行は比較的に高い構築と展開コストが必要である。
【００４０】
これに基づき、本発明は、メディア資源システム及び当該システムを使用するメディア資源の提供方法を提供することにあり、当該方法はメディア内容及び、ユーザ再生策略などのデータの記憶と管理を具体的なサービスから剥離させて、共用可能なブロックになり、各種な異なりの付加価値サービスにパーソナライズメディアの再生と相関する特徴を便利に図る。
【００４１】
以下に添付図面を参照しながら本発明の好適な実施の形態について詳細に説明し、なお、ここで記載する好適な実施の形態は単に本発明を説明と解釈する用だけであり、本発明を限定されるものではない。
【００４２】
システム実施例
本発明に係る実施例によれば、付加価値サービスにメディア資源を提供するためのメディア資源システムを提供することにある。図１に示すようなパーソナライズメディア資源システムにおいては、主に、サービス処理モジュール１０１、ユーザ配置情報モジュール１０２、資源記憶管理モジュール１０３（当該モジュールは、資源管理モジュール１０３０、メディア資源記憶モジュール１０３２、を含む）、クライアントモジュール１０４、メディアサーバ１０５、サービスサーバ１０６、他のサービスアプリケーション１０７、サービスポータル１０８、管理ポータル１０９、を備え、その中、メディアサーバ１０５、サービスサーバ１０６、他のサービスアプリケーション１０７、サービスポータル１０８、管理ポータル１０９、は当該システムの外部機能エンティティである。
【００４３】
以下、上記のモジュールの機能について詳しい説明する。
【００４４】
サービス処理モジュール１０１は、ユーザ配置情報モジュール１０２、資源記憶管理モジュール１０３に接続され、主にメディア資源システムをロジック処理するためであり、外部の機能エンティティと接続される、メッセージインタラクティブ、リモートコール、ＡＰＩなどの方式により実現可能なインタフェースを提供する。当該モジュールは、さらに、サービスサーバからの要求に含まれた情報、例えば、発／被呼者側番号などを分析することができる。また、当該モジュールは、ユーザ配置情報モジュールにおける記録とマチングすることで、ユーザパーソナライズ配置のメディア資源物理位置を定位して、サービスサーバにメディア資源定位機能を提供することを図る。
【００４５】
具体的な実施の過程において、サービス処理モジュール１０１は、サービスポータルが発起したユーザ情報配置要求を認証し、当該ユーザ情報配置要求をユーザ配置情報モジュール１０２に転送して処理する。サービス処理モジュール１０１は、管理ポータルが発起したメディア資源管理操作要求を認証し、当該メディア資源管理操作要求を資源記憶管理モジュール１０３に転送する。また、サービス処理モジュール１０１は、第３者管理ポータルなどにメディア資源のアップロード、更新、削除などの操作を更に提供するためである。
【００４６】
ユーザ配置情報モジュール１０２は、サービス処理モジュール１０１に接続され、サービスと相関するユーザ好きの設置情報を記憶し、ユーザまたは第３者応用が様々な方式にてユーザ配置情報を設置するように、当該ユーザ好きの設置情報をユーザまたは第３者応用または他のモジュールに提供する。その中、当該ユーザ好きの設置情報は表、ＸＭＬファイルなどの形態にて表れる。そして、当該情報には、発呼者側（被呼者側）番号、時間、場所、場合、現れる方式などが含まれる。
【００４７】
ユーザ配置情報モジュール１０２について、その記録したユーザパーソナライズ配置におけるパラメータが外部の他のサービスアプリケーションをコールする必要の場合、当該モジュールは他のサービスアプリケーション能力をコールする過程を発起し、他の記録したユーザパーソナライズ配置におけるパラメータがユーザとインタラクティブする必要の場合、当該モジュールはクライアントモジュールのインタラクティブの流れを発起または受信する。
【００４８】
資源記憶管理モジュール１０３（当該モジュールは資源管理モジュール１０３０とメディア資源記憶モジュール１０３２を含む）は、メディア資源を記憶し、記憶したメディア資源を管理する。
【００４９】
資源管理モジュール１０３０は、サービス処理モジュール１０１、メディア資源記憶モジュール１０３２に接続され、メディア資源記憶モジュールが記憶したメディア資源の、メディア資源のネットワーク統一的なエンコード（メディア資源マーク）、メディア資源の物理記憶位置、メディアフォーマットなどを含む情報を管理し、資源操作要求を受信し、メディア資源記憶モジュール１０３２がメディア資源の追加、更新、削除などの操作を行うことを通知する。
【００５０】
メディア資源記憶モジュール１０３２は、資源管理モジュール１０３０に接続され、メディア資源を記憶し、ネットワークにおけるメディア再生を担当するメディアサーバ設備にメディアファイルを提供し、当該モジュールは、さらに、資源管理モジュール１０３０の資源操作指令を行う。
【００５１】
クライアントモジュール１０４は、メディア資源システムに接続され、ユーザの簡単な配置情報機能を完成し、サービス処理モジュール１０１とユーザとのインタラクティブの機能を実現する。
【００５２】
メディアサーバ１０５は、ネットワークによってクライアントにメディア資源の協議と遠隔再生を提供し、及び／またＷＥＢ方式またはローカルダウンロード方式にてクライアントにメディア資源を再生することをサポートし、及び、必要のときにクライアントのインタラクティブ情報を受信し申告する。
【００５３】
説明しなければならないのは、実際の応用において、メディアサーバ１０５は前記メディア資源システムに設置されることができ、即ち、メディア資源システムにメディアサーバ１０５が含まれることができる。また、実際の状況に応じて、メディアサーバ１０５を前記メディア資源システムに独立するように、即ち、メディアサーバ１０５を単独に設置してもよい。
【００５４】
サービスサーバ１０６は、メディア資源システムに接続され、当該サービスサーバ１０６はネットワークに特定なサービスを実現するサーバであってよい、例えば：ＣＲＢＴサービスサーバ、カラー画像サービスサーバ、マルチメディア会議サーバ、メッセージ系サービスサーバなど。
【００５５】
他のサービスアプリケーション１０７は、メディア資源システムに接続され、当該他のサービスアプリケーション１０７は再利用またはコール可能のサービス能力、例えば、グループ、定位、画面表示などのサービス能力を持つことが必要である。
【００５６】
サービスポータル１０８は、メディア資源システムに接続され、ユーザ、ＳＰ（サービスの提供もの）、ネットワーク設備のサービスプロバイダーにパーソナライズ設置及びサービス管理のポータルを提供し、例えば、ＣＲＢＴサービスポータルは、ユーザに期間、日付、異なりの発呼者側ユーザグループ、異なりの位置情報に基づいて異なるＣＲＢＴ音を設置する。ポータルはユーザに様々な方式のアクセスを提供し、サービスのパーソナライズの設置を行い、例えば、ＳＭＳ、ＩＶＲ、ＷＡＰなどの方式のアクセス。その中、様々な方式のアクセス機能はシステム内部のサービス処理モジュールにインタフェースを提供することで実現される。
【００５７】
管理ポータル１０９は、メディア資源システムに接続され、ネットワークのメディア内容の生成、内容の配布、内容の管理及びメディア資源の管理などの機能を実現するためであり、例えば、ＣＰ内容のアップ（ロード）、コピーライトの処理、内容のレビュー、内容の配布、加工して造ったメディア資源ネットワークの統一的なエンコードの割り当て、メディア資源システム内部にアップロードされるメディア資源記憶モジュールなどの新規追加。
【００５８】
方法の実施例一
本発明に係る実施例によれば、メディア資源の提供方法を提供することにある。
【００５９】
図２は本発明に係る実施例におけるメディア資源の提供方法のフローチャートであり、図２に示すように、以下の処理（ステップＳ２０２〜ステップＳ２０８）を含む。
【００６０】
ステップＳ２０２において、サービス処理モジュールは、サービスからのメディア資源要求を受信し、ユーザ配置情報モジュールからユーザ設置を読み取り、メディア資源要求とユーザ設置により対応のメディア資源のマークを取得する。
【００６１】
ステップＳ２０４において、サービス処理モジュールは、資源管理モジュールにメディア資源を定位する要求を送信し、その中、当該要求にメディア資源のマークがキャリーされる。
【００６２】
ステップＳ２０６において、資源管理モジュールは、メディア資源を定位する要求におけるメディア資源のマークにより、メディア資源情報を取得し、サービス処理モジュールにメディア資源情報を帰還する。
【００６３】
ステップＳ２０８ａにおいて、システムがメディアサーバを含まない場合、サービスがメディア資源情報によりメディア資源を取得するように、サービス処理モジュールは、サービスにメディア資源情報を帰還する。
【００６４】
ステップＳ２０８ｂにおいて、システムがメディアサーバを含む場合、サービス処理モジュールは、サービス、クライアント及びメディアサーバとインタラクティブを行い、メディアサーバがメディア資源情報とクライアントによりメディア協議とメディア再生を行うことを指示し、または、サービス処理モジュールは、サービス、クライアントとインタラクティブを行い、クライアントがメディア資源情報によりローカルダウンロード方式またはＷＥＢ方式にてメディアサーバのメディア資源を再生し、または、サービス処理モジュールは、サービスにメディア資源情報を帰還する。
【００６５】
ステップＳ２０８ａまたはステップＳ２０８ｂの後、サービスは、メディアサーバにメディア再生要求を送信し、その中、当該要求にメディア資源情報がキャリーされ、メディアプレイヤーはがメディア資源情報によりメディア資源記憶モジュールに記憶されたメディア資源を取得し、再生し、その中、メディア資源情報は、メディア資源の物理位置情報であってよい。
【００６６】
実際の応用において、メディアサーバがメディア資源システムと一体に設置されてよいし、メディア資源システムと別々に設置されてもよい。また、資源管理モジュールとメディア資源記憶モジュールが１つの機能エンティティに設置されてよいし、資源管理モジュールとメディア資源記憶モジュールを別々に設置されてもよい。
【００６７】
以下、図２に示すようなシステムに基づき、図３、図４を結合しながら図２に示すような方法について例を挙げて説明する。
【００６８】
前記システム実施例におけるシステムと外部の機能エンティティに基づいて、図３はメディア資源管理の処理流れを示した。図３に示すように、例えば、メディア資源に対する新規追加、変更、削除などの操作、以下の処理（ステップ３０１〜ステップ３０５）を含む。
【００６９】
ステップ３０１において、サービス処理モジュールは、管理ポータルからのメディア資源管理の要求を受信したのち、認証を完成する。
【００７０】
ステップ３０２において、サービス処理モジュールは、メディア資源管理の要求を資源管理モジュールに転送し、その中、当該要求に具体的な操作指令、例えば、新規追加操作がキャリーされ、要求の内容にメディア資源のネットワーク統一的なエンコード、資源の記憶目次などの情報が含まれる。
【００７１】
ステップ３０３において、資源管理モジュールは、メディア資源のネットワークの統一的なエンコードなどを含む必要な情報を記録し、メディア資源記憶モジュールがメディア資源ファイル内容を新規追加／変更／削除することを通知する。
【００７２】
ステップ３０４において、メディア資源ファイル内容を新規追加または変更する必要がある場合、メディア資源記憶モジュールは、メディアファイルを取得または更新し、ローカルに当該メディアファイルを記憶する。記憶した後、資源管理モジュールに結果をフィードバックし、その中、フィードバックメディア結果に記憶アドレスが含まれ、メディア資源ファイル内容を削除する必要がある場合、メディアファイルを削除し資源管理モジュールに結果をフィードバックする。
【００７３】
ステップ３０５において、サービス処理モジュールは、資源管理モジュールからのメディア操作結果を受信し、内容管理ポータルに要求結果を帰還する。
【００７４】
前記処理を経て、メディア資源に対する新規追加、削除、変更などの機能を実現した。
【００７５】
また、前記システムと外部の機能エンティティに基づいて、図４はサービスがユーザ配置情報モジュールにサービスと相関するユーザ配置情報を設置する処理流れを示す。図４に示すように、以下の処理（ステップ４０１〜ステップ４０２）を含む。
【００７６】
ステップ４０１において、サービス処理モジュールは、サービスポータルまたはサービスサーバからのユーザ情報配置の要求を送信し、当該要求にサービスと相関するユーザ配置情報、サービス処理モジュールの完成認証が含まれる
【００７７】
ステップ４０２において、サービス処理モジュールは、ユーザ配置情報モジュールがサービスと対応するユーザ情報を記録することを通知する。
【００７８】
前記処理を経て、ユーザ配置情報モジュールにサービスと相関するユーザ配置情報を設置することを実現した。
【００７９】
方法の実施例二
実施例一について、
メディア資源システムにメディアサーバが含まれる。
本発明の実施例によれば、メディア資源システムのハイパーメディアの実現方法を提供することにある。
【００８０】
図５は本発明に係る実施例によれば実施例一のメディア資源システムのハイパーメディアの実現方法のフローチャートであり、図５に示すように、以下の処理（ステップＳ５０２〜ステップＳ５０８）を含む。
【００８１】
ステップＳ５０２において、ハイパーメディアサービスサーバは、メディア資源システムにおけるサービス処理モジュールにメディア資源を申請する要求を送信し、その中、当該要求に申請されたメディア資源の相関情報が含まれ、メディア資源の相関情報に発呼者側ユーザと被呼者側ユーザの番号のうち少なくともの一方が含まれ、かつ、実際の応用において、ハイパーメディアは、ＣＲＢＴまたはカラー画像であってもよい。
【００８２】
ステップＳ５０２中において、ハイパーメディアサービスサーバは、メディア資源システムにおけるサービス処理モジュールにメディア資源を申請する要求を送信する前に、発呼者側ユーザが呼び出しを発起し、ハイパーメディアサービスサーバをトグルし、ハイパーメディアサービスサーバが当該呼び出しを被呼者側ユーザに接続される処理を行う必要がある。
【００８３】
ステップＳ５０４において、メディア資源を申請する要求に応じて、サービス処理モジュールは、メディア資源を申請する要求により、所定の処理を行なって、相応のメディア資源情報を取得し、ハイパーメディアに相応のメディア資源情報を帰還する。
【００８４】
具体的に、サービス処理モジュールがメディア資源を申請する要求により、所定の処理を行なって、相応のメディア資源情報を取得し、ハイパーメディアに相応のメディア資源情報を帰還する操作は、以下の操作を通じて実現できる。１、メディア資源を申請する要求に応じて、サービス処理モジュールは、ユーザ配置情報モジュールからユーザ設置を読み取り、メディア資源要求とユーザ設置により対応のメディア資源のマークを取得する。２、サービス処理モジュールは、資源記憶管理モジュールにメディア資源を定位する要求を送信し、その中、当該要求にメディア資源のマークがキャリーされる。３、資源記憶管理モジュールは、メディア資源を定位する要求におけるメディア資源のマークにより、メディア資源情報を取得し、サービス処理モジュールにメディア資源情報を帰還する。４、サービス処理モジュールは、ハイパーメディアサービスサーバにメディア資源情報を帰還する。
【００８５】
ステップＳ５０６において、ハイパーメディアサービスサーバは、メディア資源システムにおけるメディアサーバに再生要求を送信し、その中、当該再生要求にメディア資源情報がキャリーされる。
【００８６】
ステップＳ５０６において、ハイパーメディアサービスサーバがメディアサーバ再生を指示する前に、メディアサーバは、ハイパーメディアサービスサーバの制御下でクライアントとメディア協議を行うことができる。
【００８７】
ステップＳ５０８において、再生要求に応じて、メディアサーバは、メディア資源情報により、メディア資源システムの資源記憶管理モジュールにおけるメディアを取得して、再生する。
【００８８】
実施例二について、
メディア資源システムにメディアサーバが含まれない、即ち、メディアサーバがメディア資源システムに独立に存在する。
【００８９】
本発明に係る実施例によれば、メディア資源システムのハイパーメディアの実現方法を提供することにある。
【００９０】
図６は本発明に係る実施例２におけるメディア資源システムのハイパーメディアの実現方法のフローチャートであり、図６に示すように、以下の処理（ステップＳ６０２〜ステップＳ６０８）を含む。
【００９１】
ステップＳ６０２において、ハイパーメディアサービスサーバは、メディア資源システムにメディア資源を申請する要求を送信し、その中、当該要求にメディア資源を申請する必要な情報がキャリーされ、メディア資源を申請する必要な情報に発呼者側ユーザと被呼者側ユーザの番号のうち少なくとも一方が含まれる。
【００９２】
ステップＳ６０２において、ハイパーメディアサービスサーバは、メディア資源システムにメディア資源を申請する要求を送信する前に、発呼者側ユーザ呼び出しを発起し、ハイパーメディアサービスサーバをトグルし、ハイパーメディアサービスサーバが当該呼び出しを被呼者側ユーザに接続される処理を行う必要がある。
【００９３】
ステップＳ６０４において、メディア資源を申請する要求に応じて、メディア資源システムは、メディア資源を申請する要求により、所定の処理を行なって、メディア資源情報を取得し、ハイパーメディアサービスサーバにメディア資源情報を帰還する。
【００９４】
ステップＳ６０４において、メディア資源システムがメディア資源を申請する要求により、所定の処理を行なって、メディア資源情報を取得し、ハイパーメディアサービスサーバにメディア資源情報を帰還する操作は、以下の操作を通じて実現できる。１、メディア資源を申請する要求に応じて、メディア資源システムにおけるサービス処理モジュールは、ユーザ配置情報モジュールからユーザ設置を読み取り、メディア資源要求とユーザ設置により対応のメディア資源のマークを取得する。２、サービス処理モジュールは、資源記憶管理モジュールにメディア資源を定位する要求を送信し、その中、当該要求にメディア資源のマークがキャリーされる。３、資源記憶管理モジュールは、メディア資源を定位する要求におけるメディア資源のマークにより、メディア資源情報を取得し、サービス処理モジュールにメディア資源情報を帰還する。４、サービス処理モジュールは、ハイパーメディアサービスサーバにメディア資源情報を帰還する。
【００９５】
ステップＳ６０６において、ハイパーメディアサービスサーバは、メディアサーバに再生要求を送信し、その中、再生要求にメディア資源情報がキャリーされる。
【００９６】
ステップＳ６０６において、ハイパーメディアサービスサーバがメディア資源システムにおけるメディアサーバに再生要求を送信する前に、メディアサーバは、発呼者側ユーザ及び被呼者側ユーザとメディア協議を行うことができる。
【００９７】
ステップＳ６０８において、メディアサーバは、再生要求に応じて、メディア資源情報によりメディア資源システムにおけるメディアを取得して、再生する。
【００９８】
以下、ＣＲＢＴサービスを例として、前記技術案について詳細説明する。
【００９９】
図７は本発明のＣＲＢＴサービスによりパーソナライズメディア資源システムを用いてメディア再生を行う処理流れであり、図７に示すように、以下のステップ（ステップ７０１〜ステップ７０７）を含む。
【０１００】
ステップ７０１において、発呼者側ユーザは、呼び出しを発起し、ＣＲＢＴサービスサーバにトグルし、ＣＲＢＴサービスサーバが当該呼び出しを被呼者側ユーザに接続される。
【０１０１】
ステップ７０２において、ＣＲＢＴサーバは、メディア資源システム内部のサービス処理モジュールにディア資源を申請する要求を送信し、当該要求に必要な情報、例えば、発呼者側番号及び／被呼者側番号などがある。
【０１０２】
ステップ７０３において、サービス処理モジュールは、ユーザ配置情報モジュールに対応のユーザ好きの設置情報を読み取り、読み取られたユーザ好きの設置情報を前記要求における情報とを比較し、例えば、ユーザがこの発呼者側番号に対する設置したＣＲＢＴエンコードを読み取り、被呼者側ユーザが情報を画面表示する必要の場合、サービス処理モジュールは、画面表示されるサービス応用に対するコールを発起し、被呼者側ユーザの状態を取得した後、ユーザがこの発呼者側番号と被呼者側状態に設置したＣＲＢＴエンコードを読み取り、最後にユーザ好きの設置における対応のメディア資源のネットワーク統一的なエンコードを読み取る。
【０１０３】
ステップ７０４において、サービス処理モジュールは、資源管理モジュールにメディア資源を定位する要求を送信し、当該要求にメディア資源のネットワーク統一的なエンコードがキャリーされる。
【０１０４】
ステップ７０５において、資源管理モジュールは、要求メッセージにおける内容により、相応のメディア資源物理位置などの情報を取得し、サービス処理モジュールにメディア資源情報を帰還する。
【０１０５】
ステップ７０６において、サービス処理モジュールは、ＣＲＢＴサービスサーバにメディア資源情報を帰還する。
【０１０６】
ステップ７０７において、ＣＲＢＴサービスサーバは、ネットワークにおけるメディアサーバ設備（当該メディアサーバ設備はメディア資源システムと一体に設置されてよいし、メディア資源システムに独立に存在してもよい）にセッションを発起し、ＣＲＢＴサービスサーバがメディアサーバと発呼者側との間のメディア協議を完成した後、取得されたメディア資源情報により、メディアサーバに再生要求を発起し、当該要求にメディア資源情報が含まれ、メディアサーバがメディア資源記憶モジュールに記憶されたメディアを読み取って、再生を実現する。
【０１０７】
前記処理を経て、ＣＲＢＴサービスのメディア再生を実現した。
【０１０８】
方法の実施例三
本発明的実施例によれば、メディア資源システムのショートメッセージ到達のリング通知の実現方法を提供することにある。
【０１０９】
図８は本発明に係る実施例におけるメディア資源システムのショートメッセージ到達のリング通知の実現方法のフローチャートであり、図８に示すように、以下の処理（ステップＳ８０２〜ステップＳ８０８）を含む。
【０１１０】
ステップＳ８０２において、ショートメッセージサービス（Ｓｈｏｒｔ  Ｍｅｓｓａｇｅ  Ｓｅｒｖｉｃｅ：ＳＭＳ）の付加価値サービスサーバは、メディア資源システムにメディア資源を申請する要求を送信し、その中、当該要求に申請したメディア資源の相関情報がキャリーされる。
【０１１１】
ステップＳ８０２において、ショートメッセージサービス（Ｓｈｏｒｔ  Ｍｅｓｓａｇｅ  Ｓｅｒｖｉｃｅ：ＳＭＳ）の付加価値サービスサーバがメディア資源システムにメディア資源を申請する要求を送信する前に、発呼者側ユーザは、ショートメッセージ到達のリング通知のサービスを注文することができ、ショートメッセージ、ショートメッセージをショートメッセージサービスの付加価値サービスサーバに送信する。
【０１１２】
ステップＳ８０４において、メディア資源を申請する要求に応じて、メディア資源システムは、メディア資源を申請する要求により、所定の処理を行なって、相応のメディア資源情報を取得し、ショートメッセージサービスの付加価値サービスサーバにメディア資源情報を帰還する。
【０１１３】
ステップＳ８０４において、メディア資源システムがメディア資源を申請する要求により、所定の処理を行なって、相応のメディア資源情報を取得し、ショートメッセージサービスの付加価値サービスサーバにメディア資源情報を帰還する処理は、具体的に、以下の処理を含む。１、メディア資源を申請する要求に応じて、メディア資源システムにおけるサービス処理モジュールは、ユーザ配置情報モジュールからユーザ設置を読み取り、メディア資源要求とユーザ設置により対応のメディア資源のマークを取得する。２、サービス処理モジュールは、資源記憶管理モジュールにメディア資源を定位する要求を送信し、当該要求にメディア資源のマークがキャリーされる。３、資源記憶管理モジュールは、メディア資源を定位する要求におけるメディア資源のマークにより、メディア資源情報を取得し、サービス処理モジュールにメディア資源情報を帰還する。４、サービス処理モジュールは、ショートメッセージサービスの付加価値サービスサーバにメディア資源情報を帰還する。
【０１１４】
ステップＳ８０６において、ショートメッセージサービスの付加価値サービスサーバは、発呼者側ユーザが送信したショートメッセージにメディア資源情報のリンクを追加し、被呼者側ユーザに送信する。
【０１１５】
ステップＳ８０８において、被呼者側ユーザは、ショートメッセージを受信し、メディア資源情報のリンクに基づいて、資源記憶管理モジュールからメディアをダウンロードして再生する。
【０１１６】
以下、図面を結合しながら前記技術案を詳しく説明する。
【０１１７】
図９は本発明に係る実施例におけるショートメッセージ到達の通知のメディア再生の流れであり、図９に示すように、以下の処理（ステップ９０１〜ステップ９０７）を含む。
【０１１８】
ステップ９０１において、発呼者側ユーザは、ショートメッセージサービス到達のリング通知のショートメッセージサービスの付加価値サービスを注文した。発呼者側ユーザがショートメッセージサービスを送信し、ショートメッセージサービスがショートメッセージサービスの付加価値サービスサーバに到達する。
【０１１９】
ステップ９０２において、ショートメッセージサービスの付加価値サービスサーバは、メディア資源システム内部のサービス処理モジュールにメディア資源を申請する要求を送信し、当該要求に必要な情報、例えば：発呼者側番号及び／または被呼者側番号などがキャリーされる。
【０１２０】
ステップ９０３において、サービス処理モジュールは、ユーザ配置情報モジュールに対応のユーザ好きの設置情報を読み取れ、読み取られたユーザ好きの設置情報を要求における情報と比較し、ユーザ好きの設置に対応するメディア資源のネットワーク統一的なエンコードを取得する。
【０１２１】
ステップ９０４において、サービス処理モジュールは、資源管理モジュールにメディア資源を定位する要求を送信し、その中、当該要求にメディア資源のネットワーク統一的なエンコードがキャリーされる。
【０１２２】
ステップ９０５において、資源管理モジュールは、要求メッセージにおける内容により、相応のメディア資源物理位置などの情報を取得し、サービス処理モジュールにメディア資源情報を帰還する。
【０１２３】
ステップ９０６において、サービス処理モジュールは、ショートメッセージサービスの付加価値サービスサーバにメディア資源情報を帰還する。
【０１２４】
ステップ９０７において、ショートメッセージサービスの付加価値サービスサーバは、発呼者側ユーザが送信したショートメッセージサービスにメディア資源のリンク情報を追加し、被呼者側ユーザ端末に送信し、被呼者側ユーザ端末がショートメッセージサービスを受信し、リンク情報に基づいてメディア資源モジュールからリングをダウンロードして再生する。
【０１２５】
前記処理に基づいて、ショートメッセージ到達の通知を完成するメディア再生機能を実現した。
【０１２６】
上述したように、本発明の技術案を借りて、様々なサービスが１セットのメディア資源システムを共用することでパーソナライズのメディア資源再生を実現して、各サービスシステムの構築と展開コストを下げると同時に、システムの維持とユーザの使用に便利を図ることができる。
【０１２７】
上述は本発明の実施形態しかなく、本発明に限定されるものではなく、当業者にとっては、様々な変更と変化が得れ、その一部の変化の実施形態は発明内容に述べたが、本発明は発明内容に示した実施形態に限定ではない。特許請求の範囲の中で述べられている、当業者であれば本発明の精神及び範囲内で、補正、および同等物が、当業者には明らかとなろう。
【図１】
2012503374.tif 000003
【図２】
2012503374.tif 000004
【図３】
2012503374.tif 000005
【図４】
2012503374.tif 000006
【図５】
2012503374.tif 000007
【図６】
2012503374.tif 000008
【図７】
2012503374.tif 000009
【図８】
2012503374.tif 000010
【図９】
2012503374.tif 000011
【手続補正書】
【提出日】平成23年3月22日(2011.3.22)
【手続補正１】
【補正対象書類名】明細書
【補正対象項目名】全文
【補正方法】変更
【補正の内容】
【発明の詳細な説明】
【技術分野】
【０００１】
本発明は通信領域に関し、特に、メディア資源システム及びメディア資源の提供方法に関する。
【背景技術】
【０００２】
現在、インターネットサービスプロバイダー（Ｉｎｔｅｒｎｅｔ  Ｓｅｒｖｉｃｅ  Ｐｒｏｖｉｄｅｒ：ＩＳＰ）は総合ネットワークのフルサービスプロバイダーに向けて発展しており、新規サービスを発展する時、主にパーソナライズ特徴を持つサービスを通してユーザを吸引する。現在、リングバックトーン（Ｃｏｌｏｒ  Ｒｉｎｇ  Ｂａｃｋ  Ｔｏｎｅ：ＣＲＢＴ）サービスとカラー画像（Ｍｕｌｔｉｍｅｄｉａ  Ｒｉｎｇ  Ｔｏｎｅ：ＭＲＴ）サービスは、パーソナライズの付加価値サービスとして、インターネットサービスプロバイダー（Ｉｎｔｅｒｎｅｔ  Ｓｅｒｖｉｃｅ  Ｐｒｏｖｉｄｅｒ：ＩＳＰ）とユーザに注目されている。
【０００３】
ＣＲＢＴサービスはユーザにパーソナライズの呼出音を提供することでユーザに人気が出る。ユーザは、ＣＲＢＴサービスを登録し、事前にカラー呼出音を注文することで、自分の興味に応じて再生策略、例えば、ランダム再生、ループ再生、発呼者側ユーザ番号による再生、特定なタイムスライスによる設置された再生などを設置することができる。発呼者側ユーザが被呼者側ユーザを呼び出す時、被呼者側ユーザが設置した再生策略により、発呼者側ユーザはパーソナライズのカラー呼出音が聞こえる。現在、狭帯域ネットワークにおいては、より成熟した商用設備にて音声ＣＲＢＴサービスを提供するサービスがあり、第３世代ネットワーク（３ｒｄ  Ｇｅｎｅｒａｔｉｏｎ、３Ｇと略称）ネットワーク、ＩＰマルチメディアサブシステム（ＩＰ  Ｍｕｌｔｉｍｅｄｉａ  Ｓｕｂｓｙｓｔｅｍ、ＩＭＳと略称）ネットワークにおいては、音声／映像または組み合わせたマルチメディアＣＲＢＴサービスが着実に発展している。
【０００４】
カラー画像サービスは被呼者側ユーザに提供されるサービスである。呼び出しの接続過程において、被呼者側ユーザが受話器を取り上げて聞く前に、被呼者側の端末は、前の単調なトーンリングの代わりに、予めに設定されたカラー画像を再生する。同様に、当該サービスはユーザに再生策略を設置する能力を提供することがある。
【０００５】
分かるように、ＣＲＢＴサービスとカラー画像サービスは、マルチメディアリングとユーザ再生策略を結び付けて、ユーザにパーソナライズのメディア再生の感じを提供する。ユーザ消費の主体はメディア内容であり、呼び出しセットアップの過程にメディア内容を体験する。このような体験方式を呼び出しセットアップの後に拡張しけば、即ち、発、被呼者側の通話後に双方はメディア内容を体験することは、別のパーソナライズの付加価値サービス（バックグラウンドミュージックサービス（Ｂａｃｋｇｒｏｕｎｄ  Ｍｕｓｉｃ  Ｓｅｒｖｉｃｅ：ＢＧＭ）サービスともいう）である。また、体験方式をメッセージ系サービス、マルチメディア会議系サービス、呼び出し待ち、呼び出し保持などの補充サービスに融合させることができる。例えば、ショートメッセージサービスにおいて、ショートメッセージが到達する時、ショートメッセージサービスはパーソナライズのメディア再生を提供することでユーザにショートメッセージサービス（Ｓｈｏｒｔ  Ｍｅｓｓａｇｅ  Ｓｅｒｖｉｃｅ：ＳＭＳ）の到達を注意させる。マルチメディア会議サービスにおいて、参加者は会議が提供する特色の背景音楽を体験することができ、会議がユーザに参加するように招く時、ユーザは事前に会議の再生のメディアにより事前に会議の雰囲気を感じれる。これらはユーザに前と異なるサービス体験を与えることができる。
【０００６】
マルチメディア内容を提供するため、各種のサービスはメディア内容の記憶と管理、ユーザの再生策略などのデータの記憶と管理に及んで、現在、メディア内容とユーザの再生策略を如何に記憶し管理するか、まだ有効な解決案を提供していない。
【発明の概要】
【発明が解決しようとする課題】
【０００７】
そこで、本発明は、相関技術に存在する技術案を必要としてメディア内容及び、ユーザの再生策略を如何に記憶し管理する問題に鑑みてなされたものであり、本発明の目的とするところは、メディア資源システム及びメディア資源の提供方法を提供することにある。
本発明は、例えば以下の項目を提供する。
（項目１）
付加価値サービスに前記メディア資源を提供するためであって、
メディア資源システムをロジック処理するサービス処理モジュールと、
サービス相関のユーザ配置情報を設置及び／または記憶するユーザ配置情報モジュールと、
メディア資源を記憶し管理する資源記憶管理モジュールと、
を備えるメディア資源システム。
（項目２）
前記資源記憶管理モジュールは、
メディア資源を記憶するメディア資源記憶モジュールと、
前記メディア資源記憶モジュールが記憶したメディア資源を管理する資源管理モジュールと、を更に備える、
ことを特徴とする項目１に記載のシステム。
（項目３）
前記資源管理モジュールは、前記メディア資源記憶モジュールが記憶したメディア資源の、前記メディア資源のマーク、前記メディア資源の物理記憶位置、メディアフォーマットのうち少なくとも一方を管理する、
ことを特徴とする項目２に記載のシステム。
（項目４）
前記資源管理モジュールは、資源操作要求を受信し、前記資源操作要求により前記メディア資源記憶モジュールがメディア資源に対して相関操作を実行することを通知する、
ことを更に特徴とする項目３に記載のシステム。
（項目５）
メディアサーバは、ネットワークにてクライアントにメディア資源の協議及び遠隔再生を提供し、及び／またはＷＥＢ方式にてまたはローカルダウンロード方式にてクライアントが前記メディア資源を再生することをサポートし、かつ、必要の時クライアントのインタラクティブ情報を受信して申告する、
ことを更に特徴とする項目１に記載のシステム。
（項目６）
前記サービス処理モジュールが前記メディア資源システムに対する前記ロジック処理は、以下のうち少なくとも一方を含み、
所定の策略によりメディア資源を定位し、
外部サービス／アプリケーションサーバにコールインタフェースを提供し、
サービスポータル及び／または管理ポータルにユーザ配置情報の更新と取得を提供し、
サービスポータル及び／または管理ポータルにメディア資源の配置操作を提供し、
サービスポータル及び／または管理ポータルの認証要求とコール要求を受理し、
他のサービスとインタフェースを応用して相応のサービス能力を取得する、
ことを特徴とする項目１に記載のシステム。
（項目７）
前記ユーザ配置情報モジュールは、前記メディア資源システムにおける他のモジュールに設置情報を提供する、
ことを更に特徴とする項目１に記載のシステム。
（項目８）
付加価値サービスに前記メディア資源を提供するためであって、
メディア資源システムをロジック処理するサービス処理モジュールと、
サービス相関のユーザ配置情報を設置及び／または記憶するユーザ配置情報モジュールと、
メディア資源を記憶し管理する資源記憶管理モジュールと、
発呼者側ユーザと被呼者側ユーザとの間のメディア協議及びメディア再生を行うメディアサーバと、
を備えるメディア資源システム。
（項目９）
前記資源記憶管理モジュールは、
メディア資源を記憶するメディア資源記憶モジュールと、
前記メディア資源記憶モジュールが記憶したメディア資源を管理する資源管理モジュールと、を更に備える、
ことを特徴とする項目８に記載のシステム。
（項目１０）
サービス処理モジュールは、サービスからのメディア資源要求を受信したのち、ユーザ配置情報モジュールからユーザ設置を読み取り、前記メディア資源要求と前記ユーザ設置により対応のメディア資源のマークを取得し、
前記サービス処理モジュールは、資源管理モジュールにメディア資源を定位する要求を送信し、その中、前記要求に前記メディア資源のマークがキャリーされ、
前記資源管理モジュールは、前記メディア資源を定位する要求における前記メディア資源のマークによりメディア資源情報を取得し、前記サービス処理モジュールに前記メディア資源情報を帰還し、
システムがメディアサーバを含まない場合、前記サービスが前記メディア資源情報により前記メディア資源を取得するように、前記サービス処理モジュールは、前記サービスに前記メディア資源情報を帰還し、
前記システムが前記メディアサーバを含む場合、前記サービス処理モジュールは、前記サービス、クライアント及び前記メディアサーバとインタラクティブを行い、前記メディアサーバが前記メディア資源情報と前記クライアントによりメディア協議とメディア再生を行うことを指示し、または、前記サービス処理モジュールは、前記サービス、前記クライアントとインタラクティブを行い、前記クライアントが前記メディア資源情報によりローカルダウンロード方式またはＷＥＢ方式にて前記メディアサーバのメディア資源を再生し、または、前記サービス処理モジュールは、前記サービスに前記メディア資源情報を帰還する、
ことを特徴とするメディア資源の提供方法。
（項目１１）
前記サービスは、メディアサーバにメディア再生要求を送信し、その中、前記要求に前記メディア資源情報がキャリーされ、
前記メディアプレイヤーは、前記メディア資源情報により前記メディア資源記憶モジュールに記憶されたメディア資源を取得して、再生する、
ことを特徴とする項目１０に記載の方法。
（項目１２）
前記メディア資源情報は、メディア資源の物理位置情報である、
ことを特徴とする項目１１に記載の方法。
（項目１３）
前記資源管理モジュールと前記メディア資源記憶モジュールを一つの機能エンティティに設置する、
ことを特徴とする項目１０または１１に記載の方法。
（項目１４）
ハイパーメディアサービスサーバは、メディア資源システムにおけるサービス処理モジュールにメディア資源を申請する要求を送信し、その中、前記要求に申請したメディア資源の相関情報が含まれ、
前記メディア資源を申請する要求に応じて、前記サービス処理モジュールは、前記メディア資源を申請する要求により、所定の処理を行なって、相応のメディア資源情報を取得し、前記ハイパーメディアに前記相応のメディア資源情報を帰還し、
前記ハイパーメディアサービスサーバは、前記メディア資源システムにおけるメディアサーバに再生要求を送信し、その中、前記要求に前記メディア資源情報がキャリーされ
前記再生要求に応じて、前記メディアサーバは、前記メディア資源情報により前記メディア資源システムの資源記憶管理モジュールにおけるメディアを取得して、再生する、
ことを特徴とするメディア資源システムのハイパーメディアの実現方法。
（項目１５）
ハイパーメディアサービスサーバは、メディア資源システムにおけるサービス処理モジュールにメディア資源を申請する要求を送信する前に、
発呼者側ユーザは、呼び出しを発起し、前記ハイパーメディアサービスサーバをトグルして、被呼者側ユーザに接続される、
ことをさらに特徴とする項目１４に記載の方法。
（項目１６）
前記サービス処理モジュールは、前記メディア資源を申請する要求により、所定の処理を行なって、相応のメディア資源情報を取得し、前記ハイパーメディアに前記相応のメディア資源情報を帰還し、具体的には、
前記メディア資源を申請する要求に応じて、前記サービス処理モジュールは、ユーザ配置情報モジュールからユーザ設置を読み取り、前記メディア資源要求と前記ユーザ設置により対応のメディア資源のマークを取得し、
前記サービス処理モジュールは、前記資源記憶管理モジュールにメディア資源を定位する要求を送信し、その中、前記要求に前記メディア資源のマークがキャリーされ
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ハイパーメディアサービスサーバに前記メディア資源情報を帰還する、
ことを特徴とする項目１５に記載の方法。
（項目１７）
前記ハイパーメディアサービスサーバがメディアサーバの再生を指示する前に、
前記メディアサーバは、前記ハイパーメディアサービスサーバの制御下でクライアントとメディア協議を行う、
ことを特徴とする項目１６に記載の方法。
（項目１８）
前記メディア資源を申請する要求に申請したメディア資源の必要な情報が含まれ、前記発呼者側ユーザと前記被呼者側ユーザの番号の少なくとも一方が含まれる、
ことを特徴とする項目１４に記載の方法。
（項目１９）
前記ハイパーメディアは、ＣＲＢＴ、カラー画像を含む、
ことを特徴とする項目１４に記載の方法。
（項目２０）
ハイパーメディアサービスサーバは、メディア資源を申請する要求を送信し、その中、前記要求にメディア資源を申請する必要な情報に含まれ、
前記メディア資源を申請する要求に応じて、前記メディア資源システムは、前記メディア資源を申請する要求により、所定の処理を行なって、メディア資源情報を取得し、前記ハイパーメディアに前記メディア資源情報を帰還し、
前記ハイパーメディアサービスサーバは、メディアサーバに再生要求を送信し、その中、前記要求に前記メディア資源情報がキャリーされ、
前記メディアサーバは、前記再生要求に応じて、前記メディア資源情報により前記メディア資源システムのメディアを取得して、再生する、
ことを特徴とするメディア資源システムのハイパーメディアの実現方法。
（項目２１）
ハイパーメディアサービスサーバがメディア資源システムにメディア資源を申請する要求を送信する前に、
発呼者側ユーザは、呼び出しを発起し、前記ハイパーメディアサービスサーバをトグルして、被呼者側ユーザに接続される、
ことをさらに特徴とする項目２０に記載の方法。
（項目２２）
前記メディア資源システムは、前記メディア資源を申請する要求により、所定の処理を行なって、メディア資源情報を取得し、前記ハイパーメディアに前記メディア資源情報を帰還し、具体的に、
前記メディア資源を申請する要求に応じて、前記メディア資源システムのサービス処理モジュールは、ユーザ配置情報モジュールからユーザ設置を読み取り、前記メディア資源要求と前記ユーザ設置により対応のメディア資源のマークを取得し、
前記サービス処理モジュールは、前記資源記憶管理モジュールにメディア資源を定位する要求を送信し、その中、前記要求に前記メディア資源のマークがキャリーされ、
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ハイパーメディアサービスサーバに前記メディア資源情報を帰還する、
ことを特徴とする項目２１に記載の方法。
（項目２３）
前記ハイパーメディアサービスサーバが前記メディア資源システムにおけるメディアサーバに再生要求を送信する前に、
前記ハイパーメディアサービスサーバは、前記発呼者側ユーザと前記被呼者側ユーザと協議を行う、
ことを特徴とする項目２２に記載の方法。
（項目２４）
前記メディア資源を申請する要求にメディア資源の相関情報が含まれ、、前記発呼者側ユーザと前記被呼者側ユーザの番号の少なくとも一方が含まれる、
ことを特徴とする項目２０に記載の方法。
（項目２５）
ショートメッセージサービス（Ｓｈｏｒｔ  Ｍｅｓｓａｇｅ  Ｓｅｒｖｉｃｅ：ＳＭＳ）の付加価値サービスサーバは、メディア資源システムにメディア資源を申請する要求を送信し、その中、前記要求に申請したメディア資源の相関情報が含まれ、
前記メディア資源を申請する要求に応じて、前記メディア資源システムは、前記メディア資源を申請する要求により、所定の処理を行なって、相応のメディア資源情報を取得し、前記ショートメッセージサービスの付加価値サービスサーバに前記メディア資源情報を帰還し、
前記ショートメッセージサービスの付加価値サービスサーバは、発呼者側ユーザが送信したショートメッセージに前記メディア資源情報のリンクを追加し、被呼者側ユーザに送信し、
前記被呼者側ユーザは、前記ショートメッセージを受信し、前記メディア資源情報のリンクに基づいて資源記憶管理モジュールからメディアをダウンロードして再生する、
ことを特徴とするメディア資源システムのショートメッセージ到達のリング通知の実現方法。
（項目２６）
ショートメッセージサービスの付加価値サービスサーバがメディア資源システムにメディア資源を申請する要求を送信する前に、
前記発呼者側ユーザは、ショートメッセージ到達のリング通知のサービスを注文し、前記ショートメッセージサービスの付加価値サービスサーバに到達する前記ショートメッセージを送信する、
ことを特徴とする項目２５に記載の方法。
（項目２７）
前記メディア資源システムは、前記メディア資源を申請する要求により、所定の処理を行なって、相応のメディア資源情報を取得し、前記ショートメッセージサービスの付加価値サービスサーバに前記メディア資源情報を帰還し、具体的に、
前記メディア資源を申請する要求に応じて、前記メディア資源システムにおけるサービス処理モジュールは、ユーザ配置情報モジュールからユーザ設置を読み取り、前記メディア資源要求と前記ユーザ設置により、対応のメディア資源のマークを取得し、
前記サービス処理モジュールは、前記資源記憶管理モジュールにメディア資源を定位する要求を送信し、その中、前記要求に前記メディア資源のマークがキャリーされ
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ショートメッセージサービスの付加価値サービスサーバに前記メディア資源情報を帰還する、
ことを特徴とする項目２６に記載の方法。
【０００８】
本発明の一つの局面に係るメディア資源システムは、付加価値サービスに前記メディア資源を提供するためであって、メディア資源システムをロジック処理するサービス処理モジュールと、サービス相関のユーザ配置情報を設置及び／または記憶するユーザ配置情報モジュールと、メディア資源を記憶し管理する資源記憶管理モジュールと、を備える。
【０００９】
また、前記資源記憶管理モジュールは、メディア資源を記憶するメディア資源記憶モジュールと、前記メディア資源記憶モジュールが記憶したメディア資源を管理する資源管理モジュールと、を更に備える。
【００１０】
その中、前記資源管理モジュールは、メディア資源記憶モジュールが記憶したメディア資源の、メディア資源のマーク、メディア資源の物理記憶位置、メディアフォーマットのうち少なくとも一方を管理する。
【００１１】
また、前記資源管理モジュールは、さらに、資源操作要求を受信し、前記資源操作要求に応じてメディア資源記憶モジュールがメディア資源に対して相関操作を実行することを通知する。
【００１２】
また、前記システムは、ネットワークにてクライアントにメディア資源の協議及び遠隔再生を提供し、及び／またはＷＥＢ方式にてまたはローカルダウンロード方式にてクライアントが前記メディア資源を再生することをサポートし、かつ、必要な時にクライアントのインタラクティブ情報を受信して申告するためのメディアサーバを、さらに備える。
【００１３】
その中、サービス処理モジュールがメディア資源システムに対するロジック処理は以下のうち少なくとも一方を含み、所定の策略によりメディア資源を定位し、外部サービス／アプリケーションサーバにコールインタフェースを提供し、サービスポータル及び／または管理ポータルにユーザ配置情報の更新と取得を提供し、サービスポータル及び／または管理ポータルにメディア資源の配置操作を提供し、サービスポータル及び／または管理ポータルの認証要求とコール要求を受理し、他のサービスとインタフェースを応用して相応のサービス能力を取得する。
【００１４】
また、前記ユーザ配置情報モジュールは、さらに、前記メディア資源システムにおける他のモジュールに設置情報を提供する。
【００１５】
本発明の他の局面に係るメディア資源システムは、付加価値サービスにメディア資源を提供するためであって、メディア資源システムをロジック処理するサービス処理モジュールと、サービス相関のユーザ配置情報を設置及び／または記憶するユーザ配置情報モジュールと、メディア資源を記憶し管理する資源記憶管理モジュールと、発呼者側ユーザと被呼者側ユーザとの間のメディア協議及びメディア再生を行うメディアサーバと、を備える。
【００１６】
また、前記資源記憶管理モジュールは、メディア資源を記憶するメディア資源記憶モジュールと、前記メディア資源記憶モジュールが記憶したメディア資源を管理する資源管理モジュールと、を更に備える。
【００１７】
本発明の他の局面に係るメディア資源の提供方法は、サービス処理モジュールが、サービスからのメディア資源要求を受信したのち、ユーザ配置情報モジュールからユーザ設置を読み取り、メディア資源要求とユーザ設置により対応のメディア資源のマークを取得し、サービス処理モジュールが、資源管理モジュールにメディア資源を定位する要求を送信し、その中、当該要求にメディア資源のマークがキャリーされ、資源管理モジュールが、メディア資源を定位する要求におけるメディア資源のマークによりメディア資源情報を取得し、サービス処理モジュールにメディア資源情報を帰還し、システムがメディアサーバを含まない場合、サービス処理モジュールが、メディア資源情報によりメディア資源を取得するように、前記サービス処理モジュールは前記サービスに前記メディア資源情報を帰還し、システムがメディアサーバを含む場合、サービス処理モジュールが、サービス、クライアント及びメディアサーバとインタラクティブを行い、メディアサーバがメディア資源情報によりクライアントとメディア協議とメディア再生を行うことを指示し、または、サービス処理モジュールが、サービス、クライアントとインタラクティブを行い、クライアントがメディア資源情報によりローカルダウンロード方式またはＷＥＢ方式にてメディアサーバにおけるメディア資源を再生し、または、サービス処理モジュールが、サービスにメディア資源情報を帰還する、ことを備える。
【００１８】
また、前記方法は、サービスが、メディアサーバにメディア再生要求を送信し、その中、当該要求にメディア資源情報がキャリーされ、メディアサーバ、メディア資源情報によりメディア資源記憶モジュールに記憶されたメディア資源を取得し、再生する、ことをさらに備える。
【００１９】
その中、前記メディア資源情報はメディア資源の物理位置情報である。
【００２０】
その中、資源管理モジュールとメディア資源記憶モジュールが一つの機能エンティティに設置される。
【００２１】
本発明の他の局面に係るメディア資源システムのハイパーメディアの実現方法は、ハイパーメディアサービスサーバが、メディア資源システムにおけるサービス処理モジュールにメディア資源を申請する要求を送信し、その中、当該要求に申請したメディア資源の相関情報が含まれ、メディア資源を申請する要求に応じて、サービス処理モジュールが、メディア資源を申請する要求により所定の処理を行なって、相応のメディア資源情報を取得し、ハイパーメディアに相応のメディア資源情報を帰還し、ハイパーメディアサービスサーバが、メディア資源システムにおけるメディアサーバに再生要求を送信し、その中、再生要求にメディア資源情報がキャリーされ、再生要求に応じて、メディアサーバが、メディア資源情報によりメディア資源システムの資源記憶管理モジュールにおけるメディアを取得し、再生する、ことを備える。
【００２２】
また、ハイパーメディアサービスサーバがメディア資源システムにおけるサービス処理モジュールにメディア資源を申請する要求を送信する前に、発呼者側ユーザが呼び出しを発起し、ハイパーメディアサービスサーバをトグルして、ハイパーメディアサービスサーバは、被呼者側ユーザに接続される。
【００２３】
その中、サービス処理モジュールは、メディア資源を申請する要求により、所定の処理を行なって、相応のメディア資源情報を取得し、ハイパーメディアに相応のメディア資源情報を帰還し、具体的には、メディア資源を申請する要求に応じて、サービス処理モジュールは、ユーザ配置情報モジュールからユーザ設置を読み取り、メディア資源要求とユーザ設置により対応のメディア資源のマークを取得し、サービス処理モジュールは、資源記憶管理モジュールにメディア資源を定位する要求を送信し、その中、当該要求にメディア資源のマークがキャリーされ、資源記憶管理モジュールは、メディア資源を定位する要求におけるメディア資源のマークにより、メディア資源情報を取得し、サービス処理モジュールにメディア資源情報を帰還し、サービス処理モジュールは、ハイパーメディアサービスサーバにメディア資源情報を帰還する。
【００２４】
また、ハイパーメディアサービスサーバがメディアサーバの再生を指示する前に、メディアサーバは、ハイパーメディアサービスサーバの制御下でクライアントとメディア協議を行う。
【００２５】
その中、前記メディア資源を申請する要求に申請したメディア資源の相関情報のうち、発呼者側ユーザと被呼者側ユーザの番号が少なくとも含まれる。
【００２６】
その中、前記ハイパーメディアは、ＣＲＢＴ、カラー画像を含む。
【００２７】
本発明の他の局面に係るメディア資源システムのハイパーメディアの実現方法は、ハイパーメディアサービスサーバが、メディア資源システムにメディア資源を申請する要求を送信し、その中、当該要求に申請したメディア資源の必要な情報が含まれ、メディア資源を申請する要求に応じて、メディア資源システムが、メディア資源を申請する要求により、所定の処理を行なって、メディア資源情報を取得し、ハイパーメディアにメディア資源情報を帰還し、ハイパーメディアサービスサーバが、メディアサーバに再生要求を送信し、その中、再生要求にメディア資源情報がキャリーされ、メディアサーバは、再生要求に応じ、メディア資源情報によりメディア資源システムにおけるメディアを取得し、再生する、ことを備える。
【００２８】
また、ハイパーメディアサービスサーバがメディア資源システムにメディア資源を申請する要求を送信する前に、発呼者側ユーザは呼び出しを発起し、ハイパーメディアサービスサーバをトグルして、ハイパーメディアサービスサーバは、被呼者側ユーザに接続される。
【００２９】
その中、メディア資源システムは、メディア資源を申請する要求により、所定の処理を行なって、メディア資源情報を取得し、ハイパーメディアサービスサーバにメディア資源情報を帰還し、具体的には、メディア資源を申請する要求に応じて、メディア資源システムにおけるサービス処理モジュールは、ユーザ配置情報モジュールからユーザ設置を読み取り、メディア資源要求とユーザ設置により対応のメディア資源のマークを取得し、サービス処理モジュールは、資源記憶管理モジュールにメディア資源を定位する要求を送信し、その中、当該要求にメディア資源のマークがキャリーされ、資源記憶管理モジュールは、メディア資源を定位する要求におけるメディア資源のマークにより、メディア資源情報を取得し、サービス処理モジュールにメディア資源情報を帰還し、サービス処理モジュールは、ハイパーメディアサービスサーバにメディア資源情報を帰還する。
【００３０】
また、ハイパーメディアサービスサーバがメディア資源システムにおけるメディアサーバに再生要求を送信する前に、ハイパーメディアサービスサーバは、発呼者側ユーザと被呼者側ユーザと協議を行う。
【００３１】
その中、当該要求に申請したメディア資源の相関情報のうち、発呼者側ユーザと被呼者側ユーザの番号が少なくとも含まれる。
【００３２】
本発明の他の局面に係るメディア資源システムのショートメッセージ到達のリング通知の実現方法は、ショートメッセージサービス（Ｓｈｏｒｔ  Ｍｅｓｓａｇｅ  Ｓｅｒｖｉｃｅ：ＳＭＳ）の付加価値サービスサーバが、メディア資源システムにメディア資源を申請する要求を送信し、その中、当該要求に申請したメディア資源の相関情報が含まれ、メディア資源を申請する要求に応じて、メディア資源システムが、メディア資源を申請する要求により、所定の処理を行なって、相応のメディア資源情報を取得し、ショートメッセージサービスの付加価値サービスサーバにメディア資源情報を帰還し、ショートメッセージサービスの付加価値サービスサーバが、発呼者側ユーザが送信したショートメッセージにメディア資源情報のリンクを追加し、被呼者側ユーザに送信し、被呼者側ユーザがショートメッセージを受信し、メディア資源情報のリンクに基づいて資源記憶管理モジュールからメディアをダウンロードして再生する、ことを備える。
【００３３】
また、ショートメッセージサービスの付加価値サービスサーバがメディア資源システムにメディア資源を申請する要求を送信する前に、発呼者側ユーザは、ショートメッセージ到達のリング通知のサービスを注文し、ショートメッセージを送信して、ショートメッセージがショートメッセージサービスの付加価値サービスサーバに到達する。
【００３４】
その中、メディア資源システムは、メディア資源を申請する要求により、所定の処理を行なって、相応のメディア資源情報を取得し、ショートメッセージサービスの付加価値サービスサーバにメディア資源情報を帰還し、具体的に、メディア資源を申請する要求に応じて、メディア資源システムにおけるサービス処理モジュールは、ユーザ配置情報モジュールからユーザ設置を読み取り、メディア資源要求とユーザ設置により、対応のメディア資源のマークを取得し、サービス処理モジュールは、資源記憶管理モジュールにメディア資源を定位する要求を送信し、その中、当該要求にメディア資源のマークがキャリーされ、資源記憶管理モジュールは、メディア資源を定位する要求におけるメディア資源のマークにより、メディア資源情報を取得し、サービス処理モジュールにメディア資源情報を帰還し、サービス処理モジュールは、ショートメッセージサービスの付加価値サービスサーバにメディア資源情報を帰還する。
【発明の効果】
【００３５】
本発明の技術案を借りて、様々なサービスは、１セットのメディア資源システムを共用することで、パーソナライズのメディア資源再生を実現して、各サービスシステムの構築と展開コストを下げると同時に、ユーザの使用とシステムの維持に便利を図ることができる。
【００３６】
本発明の他の特徴と利点は後続の明細書に説明し、明細書に部分的に明らかになり、または本発明を実施することで了解される。本発明の目的と他の利点は明細書、特許の範囲及び図面に指摘された結構により実現し取得する。
【図面の簡単な説明】
【００３７】
添付図面は本発明を更に説明する用であり、本発明の一部を構成し、実施の形態と一緒に本発明を解釈する用であり、本発明に対する不当な限定ではない。
【００３８】
【図１】本発明システムに係る実施例におけるメディア資源システムを示す図である。
【図２】本発明に係る実施例におけるメディア資源の提供方法のフローチャートである。
【図３】本発明に係る実施例における資源管理の実現のフローチャートである。
【図４】本発明に係る実施例におけるユーザ配置情報モジュールにサービスと相関するユーザ配置情報の処理を設置するフローチャートである。
【図５】本発明に係る実施例１におけるメディア資源システムのハイパーメディアの実現方法のフローチャートである。
【図６】本発明に係る実施例２におけるメディア資源システムのハイパーメディアの実現方法のフローチャートである。
【図７】本発明に係る実施例におけるＣＲＢＴサービスメディア再生のフローチャートである。
【図８】本発明に係る実施例におけるメディア資源システムのショートメッセージ到達のリング通知の実現方法フローチャートである。
【図９】本発明に係る実施例におけるショートメッセージ到達の通知のメディア再生のフローチャートである。
【発明を実施するための形態】
【００３９】
機能の概述
現在、ユーザがパーソナライズサービスに対する要求は絶えずに高まるので、多くのパーソナライズの付加価値サービスがあり、各サービスはメディア内容及び、ユーザ再生策略などのデータの記憶と管理に触れ、また、各サービスの運行は比較的に高い構築と展開コストが必要である。
【００４０】
これに基づき、本発明は、メディア資源システム及び当該システムを使用するメディア資源の提供方法を提供することにあり、当該方法はメディア内容及び、ユーザ再生策略などのデータの記憶と管理を具体的なサービスから剥離させて、共用可能なブロックになり、各種な異なりの付加価値サービスにパーソナライズメディアの再生と相関する特徴を便利に図る。
【００４１】
以下に添付図面を参照しながら本発明の好適な実施の形態について詳細に説明し、なお、ここで記載する好適な実施の形態は単に本発明を説明と解釈する用だけであり、本発明を限定されるものではない。
【００４２】
システム実施例
本発明に係る実施例によれば、付加価値サービスにメディア資源を提供するためのメディア資源システムを提供することにある。図１に示すようなパーソナライズメディア資源システムにおいては、主に、サービス処理モジュール１０１、ユーザ配置情報モジュール１０２、資源記憶管理モジュール１０３（当該モジュールは、資源管理モジュール１０３０、メディア資源記憶モジュール１０３２、を含む）、クライアントモジュール１０４、メディアサーバ１０５、サービスサーバ１０６、他のサービスアプリケーション１０７、サービスポータル１０８、管理ポータル１０９、を備え、その中、メディアサーバ１０５、サービスサーバ１０６、他のサービスアプリケーション１０７、サービスポータル１０８、管理ポータル１０９、は当該システムの外部機能エンティティである。
【００４３】
以下、上記のモジュールの機能について詳しい説明する。
【００４４】
サービス処理モジュール１０１は、ユーザ配置情報モジュール１０２、資源記憶管理モジュール１０３に接続され、主にメディア資源システムをロジック処理するためであり、外部の機能エンティティと接続される、メッセージインタラクティブ、リモートコール、ＡＰＩなどの方式により実現可能なインタフェースを提供する。当該モジュールは、さらに、サービスサーバからの要求に含まれた情報、例えば、発／被呼者側番号などを分析することができる。また、当該モジュールは、ユーザ配置情報モジュールにおける記録とマチングすることで、ユーザパーソナライズ配置のメディア資源物理位置を定位して、サービスサーバにメディア資源定位機能を提供することを図る。
【００４５】
具体的な実施の過程において、サービス処理モジュール１０１は、サービスポータルが発起したユーザ情報配置要求を認証し、当該ユーザ情報配置要求をユーザ配置情報モジュール１０２に転送して処理する。サービス処理モジュール１０１は、管理ポータルが発起したメディア資源管理操作要求を認証し、当該メディア資源管理操作要求を資源記憶管理モジュール１０３に転送する。また、サービス処理モジュール１０１は、第３者管理ポータルなどにメディア資源のアップロード、更新、削除などの操作を更に提供するためである。
【００４６】
ユーザ配置情報モジュール１０２は、サービス処理モジュール１０１に接続され、サービスと相関するユーザ好きの設置情報を記憶し、ユーザまたは第３者応用が様々な方式にてユーザ配置情報を設置するように、当該ユーザ好きの設置情報をユーザまたは第３者応用または他のモジュールに提供する。その中、当該ユーザ好きの設置情報は表、ＸＭＬファイルなどの形態にて表れる。そして、当該情報には、発呼者側（被呼者側）番号、時間、場所、場合、現れる方式などが含まれる。
【００４７】
ユーザ配置情報モジュール１０２について、その記録したユーザパーソナライズ配置におけるパラメータが外部の他のサービスアプリケーションをコールする必要の場合、当該モジュールは他のサービスアプリケーション能力をコールする過程を発起し、他の記録したユーザパーソナライズ配置におけるパラメータがユーザとインタラクティブする必要の場合、当該モジュールはクライアントモジュールのインタラクティブの流れを発起または受信する。
【００４８】
資源記憶管理モジュール１０３（当該モジュールは資源管理モジュール１０３０とメディア資源記憶モジュール１０３２を含む）は、メディア資源を記憶し、記憶したメディア資源を管理する。
【００４９】
資源管理モジュール１０３０は、サービス処理モジュール１０１、メディア資源記憶モジュール１０３２に接続され、メディア資源記憶モジュールが記憶したメディア資源の、メディア資源のネットワーク統一的なエンコード（メディア資源マーク）、メディア資源の物理記憶位置、メディアフォーマットなどを含む情報を管理し、資源操作要求を受信し、メディア資源記憶モジュール１０３２がメディア資源の追加、更新、削除などの操作を行うことを通知する。
【００５０】
メディア資源記憶モジュール１０３２は、資源管理モジュール１０３０に接続され、メディア資源を記憶し、ネットワークにおけるメディア再生を担当するメディアサーバ設備にメディアファイルを提供し、当該モジュールは、さらに、資源管理モジュール１０３０の資源操作指令を行う。
【００５１】
クライアントモジュール１０４は、メディア資源システムに接続され、ユーザの簡単な配置情報機能を完成し、サービス処理モジュール１０１とユーザとのインタラクティブの機能を実現する。
【００５２】
メディアサーバ１０５は、ネットワークによってクライアントにメディア資源の協議と遠隔再生を提供し、及び／またＷＥＢ方式またはローカルダウンロード方式にてクライアントにメディア資源を再生することをサポートし、及び、必要のときにクライアントのインタラクティブ情報を受信し申告する。
【００５３】
説明しなければならないのは、実際の応用において、メディアサーバ１０５は前記メディア資源システムに設置されることができ、即ち、メディア資源システムにメディアサーバ１０５が含まれることができる。また、実際の状況に応じて、メディアサーバ１０５を前記メディア資源システムに独立するように、即ち、メディアサーバ１０５を単独に設置してもよい。
【００５４】
サービスサーバ１０６は、メディア資源システムに接続され、当該サービスサーバ１０６はネットワークに特定なサービスを実現するサーバであってよい、例えば：ＣＲＢＴサービスサーバ、カラー画像サービスサーバ、マルチメディア会議サーバ、メッセージ系サービスサーバなど。
【００５５】
他のサービスアプリケーション１０７は、メディア資源システムに接続され、当該他のサービスアプリケーション１０７は再利用またはコール可能のサービス能力、例えば、グループ、定位、画面表示などのサービス能力を持つことが必要である。
【００５６】
サービスポータル１０８は、メディア資源システムに接続され、ユーザ、ＳＰ（サービスの提供もの）、ネットワーク設備のサービスプロバイダーにパーソナライズ設置及びサービス管理のポータルを提供し、例えば、ＣＲＢＴサービスポータルは、ユーザに期間、日付、異なりの発呼者側ユーザグループ、異なりの位置情報に基づいて異なるＣＲＢＴ音を設置する。ポータルはユーザに様々な方式のアクセスを提供し、サービスのパーソナライズの設置を行い、例えば、ＳＭＳ、ＩＶＲ、ＷＡＰなどの方式のアクセス。その中、様々な方式のアクセス機能はシステム内部のサービス処理モジュールにインタフェースを提供することで実現される。
【００５７】
管理ポータル１０９は、メディア資源システムに接続され、ネットワークのメディア内容の生成、内容の配布、内容の管理及びメディア資源の管理などの機能を実現するためであり、例えば、ＣＰ内容のアップ（ロード）、コピーライトの処理、内容のレビュー、内容の配布、加工して造ったメディア資源ネットワークの統一的なエンコードの割り当て、メディア資源システム内部にアップロードされるメディア資源記憶モジュールなどの新規追加。
【００５８】
方法の実施例一
本発明に係る実施例によれば、メディア資源の提供方法を提供することにある。
【００５９】
図２は本発明に係る実施例におけるメディア資源の提供方法のフローチャートであり、図２に示すように、以下の処理（ステップＳ２０２〜ステップＳ２０８）を含む。
【００６０】
ステップＳ２０２において、サービス処理モジュールは、サービスからのメディア資源要求を受信し、ユーザ配置情報モジュールからユーザ設置を読み取り、メディア資源要求とユーザ設置により対応のメディア資源のマークを取得する。
【００６１】
ステップＳ２０４において、サービス処理モジュールは、資源管理モジュールにメディア資源を定位する要求を送信し、その中、当該要求にメディア資源のマークがキャリーされる。
【００６２】
ステップＳ２０６において、資源管理モジュールは、メディア資源を定位する要求におけるメディア資源のマークにより、メディア資源情報を取得し、サービス処理モジュールにメディア資源情報を帰還する。
【００６３】
ステップＳ２０８ａにおいて、システムがメディアサーバを含まない場合、サービスがメディア資源情報によりメディア資源を取得するように、サービス処理モジュールは、サービスにメディア資源情報を帰還する。
【００６４】
ステップＳ２０８ｂにおいて、システムがメディアサーバを含む場合、サービス処理モジュールは、サービス、クライアント及びメディアサーバとインタラクティブを行い、メディアサーバがメディア資源情報とクライアントによりメディア協議とメディア再生を行うことを指示し、または、サービス処理モジュールは、サービス、クライアントとインタラクティブを行い、クライアントがメディア資源情報によりローカルダウンロード方式またはＷＥＢ方式にてメディアサーバのメディア資源を再生し、または、サービス処理モジュールは、サービスにメディア資源情報を帰還する。
【００６５】
ステップＳ２０８ａまたはステップＳ２０８ｂの後、サービスは、メディアサーバにメディア再生要求を送信し、その中、当該要求にメディア資源情報がキャリーされ、メディアサーバがメディア資源情報によりメディア資源記憶モジュールに記憶されたメディア資源を取得し、再生し、その中、メディア資源情報は、メディア資源の物理位置情報であってよい。
【００６６】
実際の応用において、メディアサーバがメディア資源システムと一体に設置されてよいし、メディア資源システムと別々に設置されてもよい。また、資源管理モジュールとメディア資源記憶モジュールが１つの機能エンティティに設置されてよいし、資源管理モジュールとメディア資源記憶モジュールを別々に設置されてもよい。
【００６７】
以下、図１に示すようなシステムに基づき、図３、図４を結合しながら図２に示すような方法について例を挙げて説明する。
【００６８】
前記システム実施例におけるシステムと外部の機能エンティティに基づいて、図３はメディア資源管理の処理流れを示した。図３に示すように、例えば、メディア資源に対する新規追加、変更、削除などの操作、以下の処理（ステップ３０１〜ステップ３０５）を含む。
【００６９】
ステップ３０１において、サービス処理モジュールは、管理ポータルからのメディア資源管理の要求を受信したのち、認証を完成する。
【００７０】
ステップ３０２において、サービス処理モジュールは、メディア資源管理の要求を資源管理モジュールに転送し、その中、当該要求に具体的な操作指令、例えば、新規追加操作がキャリーされ、要求の内容にメディア資源のネットワーク統一的なエンコード、資源の記憶目次などの情報が含まれる。
【００７１】
ステップ３０３において、資源管理モジュールは、メディア資源のネットワークの統一的なエンコードなどを含む必要な情報を記録し、メディア資源記憶モジュールがメディア資源ファイル内容を新規追加／変更／削除することを通知する。
【００７２】
ステップ３０４において、メディア資源ファイル内容を新規追加または変更する必要がある場合、メディア資源記憶モジュールは、メディアファイルを取得または更新し、ローカルに当該メディアファイルを記憶する。記憶した後、資源管理モジュールに結果をフィードバックし、その中、フィードバックメディア結果に記憶アドレスが含まれ、メディア資源ファイル内容を削除する必要がある場合、メディアファイルを削除し資源管理モジュールに結果をフィードバックする。
【００７３】
ステップ３０５において、サービス処理モジュールは、資源管理モジュールからのメディア操作結果を受信し、内容管理ポータルに要求結果を帰還する。
【００７４】
前記処理を経て、メディア資源に対する新規追加、削除、変更などの機能を実現した。
【００７５】
また、前記システムと外部の機能エンティティに基づいて、図４はサービスがユーザ配置情報モジュールにサービスと相関するユーザ配置情報を設置する処理流れを示す。図４に示すように、以下の処理（ステップ４０１〜ステップ４０２）を含む。
【００７６】
ステップ４０１において、サービス処理モジュールは、サービスポータルまたはサービスサーバからのユーザ情報配置の要求を送信し、当該要求にサービスと相関するユーザ配置情報、サービス処理モジュールの完成認証が含まれる
【００７７】
ステップ４０２において、サービス処理モジュールは、ユーザ配置情報モジュールがサービスと対応するユーザ情報を記録することを通知する。
【００７８】
前記処理を経て、ユーザ配置情報モジュールにサービスと相関するユーザ配置情報を設置することを実現した。
【００７９】
方法の実施例二
実施例一について、
メディア資源システムにメディアサーバが含まれる。
本発明の実施例によれば、メディア資源システムのハイパーメディアの実現方法を提供することにある。
【００８０】
図５は本発明に係る実施例によれば実施例一のメディア資源システムのハイパーメディアの実現方法のフローチャートであり、図５に示すように、以下の処理（ステップＳ５０２〜ステップＳ５０８）を含む。
【００８１】
ステップＳ５０２において、ハイパーメディアサービスサーバは、メディア資源システムにおけるサービス処理モジュールにメディア資源を申請する要求を送信し、その中、当該要求に申請されたメディア資源の相関情報が含まれ、メディア資源の相関情報に発呼者側ユーザと被呼者側ユーザの番号のうち少なくともの一方が含まれ、かつ、実際の応用において、ハイパーメディアは、ＣＲＢＴまたはカラー画像であってもよい。
【００８２】
ステップＳ５０２中において、ハイパーメディアサービスサーバは、メディア資源システムにおけるサービス処理モジュールにメディア資源を申請する要求を送信する前に、発呼者側ユーザが呼び出しを発起し、ハイパーメディアサービスサーバをトグルし、ハイパーメディアサービスサーバが当該呼び出しを被呼者側ユーザに接続される処理を行う必要がある。
【００８３】
ステップＳ５０４において、メディア資源を申請する要求に応じて、サービス処理モジュールは、メディア資源を申請する要求により、所定の処理を行なって、相応のメディア資源情報を取得し、ハイパーメディアに相応のメディア資源情報を帰還する。
【００８４】
具体的に、サービス処理モジュールがメディア資源を申請する要求により、所定の処理を行なって、相応のメディア資源情報を取得し、ハイパーメディアに相応のメディア資源情報を帰還する操作は、以下の操作を通じて実現できる。１、メディア資源を申請する要求に応じて、サービス処理モジュールは、ユーザ配置情報モジュールからユーザ設置を読み取り、メディア資源要求とユーザ設置により対応のメディア資源のマークを取得する。２、サービス処理モジュールは、資源記憶管理モジュールにメディア資源を定位する要求を送信し、その中、当該要求にメディア資源のマークがキャリーされる。３、資源記憶管理モジュールは、メディア資源を定位する要求におけるメディア資源のマークにより、メディア資源情報を取得し、サービス処理モジュールにメディア資源情報を帰還する。４、サービス処理モジュールは、ハイパーメディアサービスサーバにメディア資源情報を帰還する。
【００８５】
ステップＳ５０６において、ハイパーメディアサービスサーバは、メディア資源システムにおけるメディアサーバに再生要求を送信し、その中、当該再生要求にメディア資源情報がキャリーされる。
【００８６】
ステップＳ５０６において、ハイパーメディアサービスサーバがメディアサーバ再生を指示する前に、メディアサーバは、ハイパーメディアサービスサーバの制御下でクライアントとメディア協議を行うことができる。
【００８７】
ステップＳ５０８において、再生要求に応じて、メディアサーバは、メディア資源情報により、メディア資源システムの資源記憶管理モジュールにおけるメディアを取得して、再生する。
【００８８】
実施例二について、
メディア資源システムにメディアサーバが含まれない、即ち、メディアサーバがメディア資源システムに独立に存在する。
【００８９】
本発明に係る実施例によれば、メディア資源システムのハイパーメディアの実現方法を提供することにある。
【００９０】
図６は本発明に係る実施例２におけるメディア資源システムのハイパーメディアの実現方法のフローチャートであり、図６に示すように、以下の処理（ステップＳ６０２〜ステップＳ６０８）を含む。
【００９１】
ステップＳ６０２において、ハイパーメディアサービスサーバは、メディア資源システムにメディア資源を申請する要求を送信し、その中、当該要求にメディア資源を申請する必要な情報がキャリーされ、メディア資源を申請する必要な情報に発呼者側ユーザと被呼者側ユーザの番号のうち少なくとも一方が含まれる。
【００９２】
ステップＳ６０２において、ハイパーメディアサービスサーバは、メディア資源システムにメディア資源を申請する要求を送信する前に、発呼者側ユーザ呼び出しを発起し、ハイパーメディアサービスサーバをトグルし、ハイパーメディアサービスサーバが当該呼び出しを被呼者側ユーザに接続される処理を行う必要がある。
【００９３】
ステップＳ６０４において、メディア資源を申請する要求に応じて、メディア資源システムは、メディア資源を申請する要求により、所定の処理を行なって、メディア資源情報を取得し、ハイパーメディアサービスサーバにメディア資源情報を帰還する。
【００９４】
ステップＳ６０４において、メディア資源システムがメディア資源を申請する要求により、所定の処理を行なって、メディア資源情報を取得し、ハイパーメディアサービスサーバにメディア資源情報を帰還する操作は、以下の操作を通じて実現できる。１、メディア資源を申請する要求に応じて、メディア資源システムにおけるサービス処理モジュールは、ユーザ配置情報モジュールからユーザ設置を読み取り、メディア資源要求とユーザ設置により対応のメディア資源のマークを取得する。２、サービス処理モジュールは、資源記憶管理モジュールにメディア資源を定位する要求を送信し、その中、当該要求にメディア資源のマークがキャリーされる。３、資源記憶管理モジュールは、メディア資源を定位する要求におけるメディア資源のマークにより、メディア資源情報を取得し、サービス処理モジュールにメディア資源情報を帰還する。４、サービス処理モジュールは、ハイパーメディアサービスサーバにメディア資源情報を帰還する。
【００９５】
ステップＳ６０６において、ハイパーメディアサービスサーバは、メディアサーバに再生要求を送信し、その中、再生要求にメディア資源情報がキャリーされる。
【００９６】
ステップＳ６０６において、ハイパーメディアサービスサーバがメディア資源システムにおけるメディアサーバに再生要求を送信する前に、メディアサーバは、発呼者側ユーザ及び被呼者側ユーザとメディア協議を行うことができる。
【００９７】
ステップＳ６０８において、メディアサーバは、再生要求に応じて、メディア資源情報によりメディア資源システムにおけるメディアを取得して、再生する。
【００９８】
以下、ＣＲＢＴサービスを例として、前記技術案について詳細説明する。
【００９９】
図７は本発明のＣＲＢＴサービスによりパーソナライズメディア資源システムを用いてメディア再生を行う処理流れであり、図７に示すように、以下のステップ（ステップ７０１〜ステップ７０７）を含む。
【０１００】
ステップ７０１において、発呼者側ユーザは、呼び出しを発起し、ＣＲＢＴサービスサーバにトグルし、ＣＲＢＴサービスサーバが当該呼び出しを被呼者側ユーザに接続される。
【０１０１】
ステップ７０２において、ＣＲＢＴサーバは、メディア資源システム内部のサービス処理モジュールにディア資源を申請する要求を送信し、当該要求に必要な情報、例えば、発呼者側番号及び／または被呼者側番号などがある。
【０１０２】
ステップ７０３において、サービス処理モジュールは、ユーザ配置情報モジュールに対応のユーザ好きの設置情報を読み取り、読み取られたユーザ好きの設置情報を前記要求における情報とを比較し、例えば、ユーザがこの発呼者側番号に対する設置したＣＲＢＴエンコードを読み取り、被呼者側ユーザが情報を画面表示する必要の場合、サービス処理モジュールは、画面表示されるサービス応用に対するコールを発起し、被呼者側ユーザの状態を取得した後、ユーザがこの発呼者側番号と被呼者側状態に設置したＣＲＢＴエンコードを読み取り、最後にユーザ好きの設置における対応のメディア資源のネットワーク統一的なエンコードを読み取る。
【０１０３】
ステップ７０４において、サービス処理モジュールは、資源管理モジュールにメディア資源を定位する要求を送信し、当該要求にメディア資源のネットワーク統一的なエンコードがキャリーされる。
【０１０４】
ステップ７０５において、資源管理モジュールは、要求メッセージにおける内容により、相応のメディア資源物理位置などの情報を取得し、サービス処理モジュールにメディア資源情報を帰還する。
【０１０５】
ステップ７０６において、サービス処理モジュールは、ＣＲＢＴサービスサーバにメディア資源情報を帰還する。
【０１０６】
ステップ７０７において、ＣＲＢＴサービスサーバは、ネットワークにおけるメディアサーバ設備（当該メディアサーバ設備はメディア資源システムと一体に設置されてよいし、メディア資源システムに独立に存在してもよい）にセッションを発起し、ＣＲＢＴサービスサーバがメディアサーバと発呼者側との間のメディア協議を完成した後、取得されたメディア資源情報により、メディアサーバに再生要求を発起し、当該要求にメディア資源情報が含まれ、メディアサーバがメディア資源記憶モジュールに記憶されたメディアを読み取って、再生を実現する。
【０１０７】
前記処理を経て、ＣＲＢＴサービスのメディア再生を実現した。
【０１０８】
方法の実施例三
本発明的実施例によれば、メディア資源システムのショートメッセージ到達のリング通知の実現方法を提供することにある。
【０１０９】
図８は本発明に係る実施例におけるメディア資源システムのショートメッセージ到達のリング通知の実現方法のフローチャートであり、図８に示すように、以下の処理（ステップＳ８０２〜ステップＳ８０８）を含む。
【０１１０】
ステップＳ８０２において、ショートメッセージサービス（Ｓｈｏｒｔ  Ｍｅｓｓａｇｅ  Ｓｅｒｖｉｃｅ：ＳＭＳ）の付加価値サービスサーバは、メディア資源システムにメディア資源を申請する要求を送信し、その中、当該要求に申請したメディア資源の相関情報がキャリーされる。
【０１１１】
ステップＳ８０２において、ショートメッセージサービス（Ｓｈｏｒｔ  Ｍｅｓｓａｇｅ  Ｓｅｒｖｉｃｅ：ＳＭＳ）の付加価値サービスサーバがメディア資源システムにメディア資源を申請する要求を送信する前に、発呼者側ユーザは、ショートメッセージ到達のリング通知のサービスを注文することができ、ショートメッセージ、ショートメッセージをショートメッセージサービスの付加価値サービスサーバに送信する。
【０１１２】
ステップＳ８０４において、メディア資源を申請する要求に応じて、メディア資源システムは、メディア資源を申請する要求により、所定の処理を行なって、相応のメディア資源情報を取得し、ショートメッセージサービスの付加価値サービスサーバにメディア資源情報を帰還する。
【０１１３】
ステップＳ８０４において、メディア資源システムがメディア資源を申請する要求により、所定の処理を行なって、相応のメディア資源情報を取得し、ショートメッセージサービスの付加価値サービスサーバにメディア資源情報を帰還する処理は、具体的に、以下の処理を含む。１、メディア資源を申請する要求に応じて、メディア資源システムにおけるサービス処理モジュールは、ユーザ配置情報モジュールからユーザ設置を読み取り、メディア資源要求とユーザ設置により対応のメディア資源のマークを取得する。２、サービス処理モジュールは、資源記憶管理モジュールにメディア資源を定位する要求を送信し、当該要求にメディア資源のマークがキャリーされる。３、資源記憶管理モジュールは、メディア資源を定位する要求におけるメディア資源のマークにより、メディア資源情報を取得し、サービス処理モジュールにメディア資源情報を帰還する。４、サービス処理モジュールは、ショートメッセージサービスの付加価値サービスサーバにメディア資源情報を帰還する。
【０１１４】
ステップＳ８０６において、ショートメッセージサービスの付加価値サービスサーバは、発呼者側ユーザが送信したショートメッセージにメディア資源情報のリンクを追加し、被呼者側ユーザに送信する。
【０１１５】
ステップＳ８０８において、被呼者側ユーザは、ショートメッセージを受信し、メディア資源情報のリンクに基づいて、資源記憶管理モジュールからメディアをダウンロードして再生する。
【０１１６】
以下、図面を結合しながら前記技術案を詳しく説明する。
【０１１７】
図９は本発明に係る実施例におけるショートメッセージ到達の通知のメディア再生の流れであり、図９に示すように、以下の処理（ステップ９０１〜ステップ９０７）を含む。
【０１１８】
ステップ９０１において、発呼者側ユーザは、ショートメッセージサービス到達のリング通知のショートメッセージサービスの付加価値サービスを注文した。発呼者側ユーザがショートメッセージサービスを送信し、ショートメッセージサービスがショートメッセージサービスの付加価値サービスサーバに到達する。
【０１１９】
ステップ９０２において、ショートメッセージサービスの付加価値サービスサーバは、メディア資源システム内部のサービス処理モジュールにメディア資源を申請する要求を送信し、当該要求に必要な情報、例えば：発呼者側番号及び／または被呼者側番号などがキャリーされる。
【０１２０】
ステップ９０３において、サービス処理モジュールは、ユーザ配置情報モジュールに対応のユーザ好きの設置情報を読み取れ、読み取られたユーザ好きの設置情報を要求における情報と比較し、ユーザ好きの設置に対応するメディア資源のネットワーク統一的なエンコードを取得する。
【０１２１】
ステップ９０４において、サービス処理モジュールは、資源管理モジュールにメディア資源を定位する要求を送信し、その中、当該要求にメディア資源のネットワーク統一的なエンコードがキャリーされる。
【０１２２】
ステップ９０５において、資源管理モジュールは、要求メッセージにおける内容により、相応のメディア資源物理位置などの情報を取得し、サービス処理モジュールにメディア資源情報を帰還する。
【０１２３】
ステップ９０６において、サービス処理モジュールは、ショートメッセージサービスの付加価値サービスサーバにメディア資源情報を帰還する。
【０１２４】
ステップ９０７において、ショートメッセージサービスの付加価値サービスサーバは、発呼者側ユーザが送信したショートメッセージサービスにメディア資源のリンク情報を追加し、被呼者側ユーザ端末に送信し、被呼者側ユーザ端末がショートメッセージサービスを受信し、リンク情報に基づいてメディア資源記憶モジュールからリングをダウンロードして再生する。
【０１２５】
前記処理に基づいて、ショートメッセージ到達の通知を完成するメディア再生機能を実現した。
【０１２６】
上述したように、本発明の技術案を借りて、様々なサービスが１セットのメディア資源システムを共用することでパーソナライズのメディア資源再生を実現して、各サービスシステムの構築と展開コストを下げると同時に、システムの維持とユーザの使用に便利を図ることができる。
【０１２７】
上述は本発明の実施形態しかなく、本発明に限定されるものではなく、当業者にとっては、様々な変更と変化が得れ、その一部の変化の実施形態は発明内容に述べたが、本発明は発明内容に示した実施形態に限定ではない。特許請求の範囲の中で述べられている、当業者であれば本発明の精神及び範囲内で、補正、および同等物が、当業者には明らかとなろう。
【手続補正２】
【補正対象書類名】特許請求の範囲
【補正対象項目名】全文
【補正方法】変更
【補正の内容】
【特許請求の範囲】
【請求項１】
付加価値サービスに前記メディア資源を提供するためであって、
メディア資源システムをロジック処理するサービス処理モジュールと、
サービス相関のユーザ配置情報を設置及び／または記憶するユーザ配置情報モジュールと、
メディア資源を記憶し管理する資源記憶管理モジュールと、
を備えるメディア資源システム。
【請求項２】
前記資源記憶管理モジュールは、
メディア資源を記憶するメディア資源記憶モジュールと、
前記メディア資源記憶モジュールが記憶したメディア資源を管理する資源管理モジュールと、を更に備える、
ことを特徴とする請求項１に記載のシステム。
【請求項３】
前記資源管理モジュールは、前記メディア資源記憶モジュールが記憶したメディア資源の、前記メディア資源のマーク、前記メディア資源の物理記憶位置、メディアフォーマットのうち少なくとも一方を管理する、
ことを特徴とする請求項２に記載のシステム。
【請求項４】
前記資源管理モジュールは、資源操作要求を受信し、前記資源操作要求により前記メディア資源記憶モジュールがメディア資源に対して相関操作を実行することを通知する、
ことを更に特徴とする請求項３に記載のシステム。
【請求項５】
メディアサーバは、ネットワークにてクライアントにメディア資源の協議及び遠隔再生を提供し、及び／またはＷＥＢ方式にてまたはローカルダウンロード方式にてクライアントが前記メディア資源を再生することをサポートし、かつ、必要の時クライアントのインタラクティブ情報を受信して申告する、
ことを更に特徴とする請求項１に記載のシステム。
【請求項６】
前記サービス処理モジュールが前記メディア資源システムに対する前記ロジック処理は、以下のうち少なくとも一方を含み、
所定の策略によりメディア資源を定位し、
外部サービス／アプリケーションサーバにコールインタフェースを提供し、
サービスポータル及び／または管理ポータルにユーザ配置情報の更新と取得を提供し、
サービスポータル及び／または管理ポータルにメディア資源の配置操作を提供し、
サービスポータル及び／または管理ポータルの認証要求とコール要求を受理し、
他のサービスとインタフェースを応用して相応のサービス能力を取得する、
ことを特徴とする請求項１に記載のシステム。
【請求項７】
前記ユーザ配置情報モジュールは、前記メディア資源システムにおける他のモジュールに設置情報を提供する、
ことを更に特徴とする請求項１に記載のシステム。
【請求項８】
付加価値サービスに前記メディア資源を提供するためであって、
メディア資源システムをロジック処理するサービス処理モジュールと、
サービス相関のユーザ配置情報を設置及び／または記憶するユーザ配置情報モジュールと、
メディア資源を記憶し管理する資源記憶管理モジュールと、
発呼者側ユーザと被呼者側ユーザとの間のメディア協議及びメディア再生を行うメディアサーバと、
を備えるメディア資源システム。
【請求項９】
前記資源記憶管理モジュールは、
メディア資源を記憶するメディア資源記憶モジュールと、
前記メディア資源記憶モジュールが記憶したメディア資源を管理する資源管理モジュールと、を更に備える、
ことを特徴とする請求項８に記載のシステム。
【請求項１０】
サービス処理モジュールは、サービスからのメディア資源要求を受信したのち、ユーザ配置情報モジュールからユーザ設置を読み取り、前記メディア資源要求と前記ユーザ設置により対応のメディア資源のマークを取得し、
前記サービス処理モジュールは、資源管理モジュールにメディア資源を定位する要求を送信し、その中、前記要求に前記メディア資源のマークがキャリーされ、
前記資源管理モジュールは、前記メディア資源を定位する要求における前記メディア資源のマークによりメディア資源情報を取得し、前記サービス処理モジュールに前記メディア資源情報を帰還し、
システムがメディアサーバを含まない場合、前記サービスが前記メディア資源情報により前記メディア資源を取得するように、前記サービス処理モジュールは、前記サービスに前記メディア資源情報を帰還し、
前記システムが前記メディアサーバを含む場合、前記サービス処理モジュールは、前記サービス、クライアント及び前記メディアサーバとインタラクティブを行い、前記メディアサーバが前記メディア資源情報と前記クライアントによりメディア協議とメディア再生を行うことを指示し、または、前記サービス処理モジュールは、前記サービス、前記クライアントとインタラクティブを行い、前記クライアントが前記メディア資源情報によりローカルダウンロード方式またはＷＥＢ方式にて前記メディアサーバのメディア資源を再生し、または、前記サービス処理モジュールは、前記サービスに前記メディア資源情報を帰還する、
ことを特徴とするメディア資源の提供方法。
【請求項１１】
前記サービスは、メディアサーバにメディア再生要求を送信し、その中、前記要求に前記メディア資源情報がキャリーされ、
前記メディアサーバ、前記メディア資源情報により前記メディア資源記憶モジュールに記憶されたメディア資源を取得して、再生する、
ことを特徴とする請求項１０に記載の方法。
【請求項１２】
前記メディア資源情報は、メディア資源の物理位置情報である、
ことを特徴とする請求項１１に記載の方法。
【請求項１３】
前記資源管理モジュールと前記メディア資源記憶モジュールを一つの機能エンティティに設置する、
ことを特徴とする請求項１０または１１に記載の方法。
【請求項１４】
ハイパーメディアサービスサーバは、メディア資源システムにおけるサービス処理モジュールにメディア資源を申請する要求を送信し、その中、前記要求に申請したメディア資源の相関情報が含まれ、
前記メディア資源を申請する要求に応じて、前記サービス処理モジュールは、前記メディア資源を申請する要求により、所定の処理を行なって、相応のメディア資源情報を取得し、前記ハイパーメディアに前記相応のメディア資源情報を帰還し、
前記ハイパーメディアサービスサーバは、前記メディア資源システムにおけるメディアサーバに再生要求を送信し、その中、前記要求に前記メディア資源情報がキャリーされ
前記再生要求に応じて、前記メディアサーバは、前記メディア資源情報により前記メディア資源システムの資源記憶管理モジュールにおけるメディアを取得して、再生する、
ことを特徴とするメディア資源システムのハイパーメディアの実現方法。
【請求項１５】
ハイパーメディアサービスサーバは、メディア資源システムにおけるサービス処理モジュールにメディア資源を申請する要求を送信する前に、
発呼者側ユーザは、呼び出しを発起し、前記ハイパーメディアサービスサーバをトグルして、被呼者側ユーザに接続される、
ことをさらに特徴とする請求項１４に記載の方法。
【請求項１６】
前記サービス処理モジュールは、前記メディア資源を申請する要求により、所定の処理を行なって、相応のメディア資源情報を取得し、前記ハイパーメディアに前記相応のメディア資源情報を帰還し、具体的には、
前記メディア資源を申請する要求に応じて、前記サービス処理モジュールは、ユーザ配置情報モジュールからユーザ設置を読み取り、前記メディア資源要求と前記ユーザ設置により対応のメディア資源のマークを取得し、
前記サービス処理モジュールは、前記資源記憶管理モジュールにメディア資源を定位する要求を送信し、その中、前記要求に前記メディア資源のマークがキャリーされ
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ハイパーメディアサービスサーバに前記メディア資源情報を帰還する、
ことを特徴とする請求項１５に記載の方法。
【請求項１７】
前記ハイパーメディアサービスサーバがメディアサーバの再生を指示する前に、
前記メディアサーバは、前記ハイパーメディアサービスサーバの制御下でクライアントとメディア協議を行う、
ことを特徴とする請求項１６に記載の方法。
【請求項１８】
前記メディア資源を申請する要求に申請したメディア資源の必要な情報が含まれ、前記発呼者側ユーザと前記被呼者側ユーザの番号の少なくとも一方が含まれる、
ことを特徴とする請求項１４に記載の方法。
【請求項１９】
前記ハイパーメディアは、ＣＲＢＴ、カラー画像を含む、
ことを特徴とする請求項１４に記載の方法。
【請求項２０】
ハイパーメディアサービスサーバは、メディア資源を申請する要求を送信し、その中、前記要求にメディア資源を申請する必要な情報に含まれ、
前記メディア資源を申請する要求に応じて、前記メディア資源システムは、前記メディア資源を申請する要求により、所定の処理を行なって、メディア資源情報を取得し、前記ハイパーメディアに前記メディア資源情報を帰還し、
前記ハイパーメディアサービスサーバは、メディアサーバに再生要求を送信し、その中、前記要求に前記メディア資源情報がキャリーされ、
前記メディアサーバは、前記再生要求に応じて、前記メディア資源情報により前記メディア資源システムのメディアを取得して、再生する、
ことを特徴とするメディア資源システムのハイパーメディアの実現方法。
【請求項２１】
ハイパーメディアサービスサーバがメディア資源システムにメディア資源を申請する要求を送信する前に、
発呼者側ユーザは、呼び出しを発起し、前記ハイパーメディアサービスサーバをトグルして、被呼者側ユーザに接続される、
ことをさらに特徴とする請求項２０に記載の方法。
【請求項２２】
前記メディア資源システムは、前記メディア資源を申請する要求により、所定の処理を行なって、メディア資源情報を取得し、前記ハイパーメディアに前記メディア資源情報を帰還し、具体的に、
前記メディア資源を申請する要求に応じて、前記メディア資源システムのサービス処理モジュールは、ユーザ配置情報モジュールからユーザ設置を読み取り、前記メディア資源要求と前記ユーザ設置により対応のメディア資源のマークを取得し、
前記サービス処理モジュールは、前記資源記憶管理モジュールにメディア資源を定位する要求を送信し、その中、前記要求に前記メディア資源のマークがキャリーされ、
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ハイパーメディアサービスサーバに前記メディア資源情報を帰還する、
ことを特徴とする請求項２１に記載の方法。
【請求項２３】
前記ハイパーメディアサービスサーバが前記メディア資源システムにおけるメディアサーバに再生要求を送信する前に、
前記ハイパーメディアサービスサーバは、前記発呼者側ユーザと前記被呼者側ユーザと協議を行う、
ことを特徴とする請求項２２に記載の方法。
【請求項２４】
前記メディア資源を申請する要求にメディア資源の相関情報が含まれ、、前記発呼者側ユーザと前記被呼者側ユーザの番号の少なくとも一方が含まれる、
ことを特徴とする請求項２０に記載の方法。
【請求項２５】
ショートメッセージサービス（Ｓｈｏｒｔ  Ｍｅｓｓａｇｅ  Ｓｅｒｖｉｃｅ：ＳＭＳ）の付加価値サービスサーバは、メディア資源システムにメディア資源を申請する要求を送信し、その中、前記要求に申請したメディア資源の相関情報が含まれ、
前記メディア資源を申請する要求に応じて、前記メディア資源システムは、前記メディア資源を申請する要求により、所定の処理を行なって、相応のメディア資源情報を取得し、前記ショートメッセージサービスの付加価値サービスサーバに前記メディア資源情報を帰還し、
前記ショートメッセージサービスの付加価値サービスサーバは、発呼者側ユーザが送信したショートメッセージに前記メディア資源情報のリンクを追加し、被呼者側ユーザに送信し、
前記被呼者側ユーザは、前記ショートメッセージを受信し、前記メディア資源情報のリンクに基づいて資源記憶管理モジュールからメディアをダウンロードして再生する、
ことを特徴とするメディア資源システムのショートメッセージ到達のリング通知の実現方法。
【請求項２６】
ショートメッセージサービスの付加価値サービスサーバがメディア資源システムにメディア資源を申請する要求を送信する前に、
前記発呼者側ユーザは、ショートメッセージ到達のリング通知のサービスを注文し、前記ショートメッセージサービスの付加価値サービスサーバに到達する前記ショートメッセージを送信する、
ことを特徴とする請求項２５に記載の方法。
【請求項２７】
前記メディア資源システムは、前記メディア資源を申請する要求により、所定の処理を行なって、相応のメディア資源情報を取得し、前記ショートメッセージサービスの付加価値サービスサーバに前記メディア資源情報を帰還し、具体的に、
前記メディア資源を申請する要求に応じて、前記メディア資源システムにおけるサービス処理モジュールは、ユーザ配置情報モジュールからユーザ設置を読み取り、前記メディア資源要求と前記ユーザ設置により、対応のメディア資源のマークを取得し、
前記サービス処理モジュールは、前記資源記憶管理モジュールにメディア資源を定位する要求を送信し、その中、前記要求に前記メディア資源のマークがキャリーされ
前記資源記憶管理モジュールは、前記メディア資源を定位する要求における前記メディア資源のマークにより、メディア資源情報を取得し、前記サービス処理モジュールに前記メディア資源情報を帰還し、
前記サービス処理モジュールは、前記ショートメッセージサービスの付加価値サービスサーバに前記メディア資源情報を帰還する、
ことを特徴とする請求項２６に記載の方法。
【手続補正３】
【補正対象書類名】図面
【補正対象項目名】全図
【補正方法】変更
【補正の内容】
【図１】
2012503374.tif 000012
【図２】
2012503374.tif 000013
【図３】
2012503374.tif 000014
【図４】
2012503374.tif 000015
【図５】
2012503374.tif 000016
【図６】
2012503374.tif 000017
【図７】
2012503374.tif 000018
【図８】
2012503374.tif 000019
【図９】
2012503374.tif 000020
【国際調査報告】
2012503374.tif 000021
2012503374.tif 000022
2012503374.tif 000023
2012503374.tif 000024